(57)【特許請求の範囲】
【請求項１】
飲料又は流動食の商業用のボトル詰め向けに設計されたボトルを、ストッパ（１、１０、１００、２００、３００、４１０）及び封止要素（４、４４０）を備えるシステムを用いて封止する方法であって、
前記ストッパ（１、１０、１００、２００、３００、４１０）は、
前記ボトルの口の中へ導入されるストッパ部（２、４１２）と、前記口の外側に残るヘッド部（３、４１３）と、を備え、前記ヘッド部（３、４１３）は、前記ストッパ部（２、４１２）の直径より大きい直径を有し、
前記ストッパ部（２、４１２）は、前記ボトルとは別個の前記封止要素（４、４４０）の相手側連動機構に係合する連動機構を備え、
前記封止要素（４、４４０）は、前記口の内壁に押し付けられ、それによって、前記ストッパ部（２、４１２）を前記口の中へ導入する際に封止位置へ動かされるように構成され、前記封止位置では、前記ストッパは摩擦接続によって前記ボトル上に保持され、
前記連動機構は、前記ボトルに対して前記ストッパを回転させることを含む開封動作によって、前記封止要素を開封位置へ動かすことを可能にするように構成され、前記封止要素の前記相手側連動機構を形成する構成が前記封止位置及び前記開封位置の両方で提供され、
前記方法は、
前記ストッパ（１、１０、１００、２００、３００、４１０）の前記ストッパ部（２、４１２）を前記封止要素（４、４４０）内に導入することによって前記システムを組み立てる工程と、
前記封止位置に到達するまで前記システム（１、１０、１００、２００、３００、４１０）を前記ボトルの口内に押圧によって導入する工程と、を含む、方法。
【請求項２】
前記ストッパ（１、１０、１００、２００、３００、４１０）の前記連動機構は１つ又は複数のねじ山を備え、
前記１つ又は複数のねじ山は、見切り線を収容するために１つ又は複数の平らな表面によって長手方向に途切れる、請求項１に記載の方法。
【請求項３】
前記封止要素（４、４４０）が、前記開封位置に動かされた後に、前記ストッパが前記口から引き抜かれたときに前記ストッパの前記ストッパ部（２、４１２）上に保持されるように、前記ストッパ（１、１０、１００、２００、３００、４１０）の前記ストッパ部（２、４１２）が構成される、請求項１又は２に記載の方法。
【請求項４】
前記ストッパの前記ヘッド部上には空胴が形成され、
前記空胴は、頂部から見たときに方形の断面を有する、請求項１〜３のいずれか１項に記載の方法。
【請求項５】
前記封止要素（４、４４０）は、前記口内に前記ストッパ部（２、４１２）を導入する際に前記口の内壁に押圧されるように適合された封止部（４２、４２２）を備え、
前記封止位置で前記口の前記内壁に押圧され、前記封止要素（４、４４０）が前記封止位置に動かされるときに前記封止部（４２、４２２）と前記口の前記内壁との間の１つ又は複数の領域内に負圧又は吸引力を蓄積するように適合された要素が、前記封止部（４２、４２２）の外側に形成され、
前記封止部（４２、４２２）の外側に形成された前記要素は、隣接するリブの形状を有する、請求項１〜４のいずれか１項に記載の方法。
【請求項６】
飲料又は流動食の商業用のボトル詰め向けに設計されたボトルを封止するシステムであって、前記システムは、ストッパ（１、１０、１００、２００、３００、４１０）及び封止要素（４、４４０）を備え、
前記ストッパ（１、１０、１００、２００、３００、４１０）は、
前記ボトルの口の中へ導入されるストッパ部（２、４１２）と、前記口の外側に残るヘッド部（３、４１３）と、を備え、前記ヘッド部（３、４１３）は、前記ストッパ部（２、４１２）の直径より大きい直径を有し、
前記ストッパ部（２、４１２）は、前記ボトルとは別個の前記封止要素（４、４４０）の相手側連動機構に係合する連動機構を備え、
前記封止要素（４、４４０）は、前記口の内壁に押し付けられ、それによって、前記ストッパ部（２、４１２）を前記口の中へ導入するときに封止位置へ動かされるように構成され、前記封止位置では、前記ストッパは、摩擦接続によって前記ボトル上に保持され、
前記連動機構は、前記ボトルに対して前記ストッパを回転させることを含む開封動作によって、前記封止要素を開封位置へ動かすことを可能にするように構成され、前記封止要素の前記相手側連動機構を形成する構成が前記封止位置及び前記開封位置の両方で提供され、
前記システムは、前記ストッパ（１、１０、１００、２００、３００、４１０）の前記ストッパ部（２、４１２）を前記封止要素（４、４４０）内に導入することによって組み立てられるように、及び、前記封止位置に到達するまで前記ボトルの口内に押圧によって導入されるように設計される、システム。
【発明の詳細な説明】
【技術分野】
【０００１】
本発明は、ボトル、好ましくはワインボトルのような飲料ボトル用のストッパ、およびボトル用のストッパを封止する封止要素に関する。本発明はさらに、ボトルを封止する方法に関する。
【背景技術】
【０００２】
封止可能なボトルは、欧州特許第１４５１０８１号および欧州特許第１４５６０９２号から知られている。これらの特許に開示されているボトルはストッパを備え、ストッパはガラスから作られており、ボトル開口内へ挿入することができる。このボトルは、固定要素をさらに備え、固定要素は、ボトル本体に着脱可能に取り付けられており、ボトル開口内に挿入されたストッパを定位置で保つ。
【０００３】
そのようなボトルは、いくつかの欠点を呈する。第１に、ボトル本体に取り付けられた固定要素には、追加のコストがかかる。第２に、たとえばボトルが初めて開けられたとき、着脱可能な固定要素が取り外された後、固定要素は概して、再び取り付けることができない。したがって、ボトルが開けられた後は、適切な封止を実現することができなくなる。その結果、このボトルは、たとえば水平の位置でそれ以上貯蔵することができなくなる。第３に、たとえば輸送中に固定要素が不注意で外れた場合、ストッパはそれ以上機械的に保たれなくなり、ボトルの内圧が増大する結果、容易に外れることがある。
【０００４】
さらに、欧州特許第１４５１０８１号および欧州特許第１４５６０９２号に開示されている閉鎖システムは、ワイン業界でワインボトルを閉めるために使用されるとき、別の欠点を呈する。実際には、これらの閉鎖システムは通常のワインボトルの製造公差に対処することができないため、これらの閉鎖システムには、ストッパの形状および寸法に対して口が特別に適合された特定のワインボトルが必要とされる。したがって、ワインボトルを封止するために、天然または合成のコルクから作られたコルクではなくそのような閉鎖システムを採用したいと考えるワイン生産者は、ボトル詰めプロセスを変更して、これらの特定のボトルに適合させざるをえないが、そのような特定のボトルは標準的なボトルより高価であり、少数のガラスボトル製造業者からしか入手することができない。
【０００５】
ボトルに取り付けられた固定要素を必要としないボトルストッパ構成は、米国特許第３，２４５，５６９号に開示されている。同特許に記載されているボトルストッパ構成は、流体が圧力下で維持されるボトル、特にシャンパンワインボトル向けに特別に設計されている。このボトルストッパ構成は、ボトルの口に固定されるように適合された管状の挿入物と、管状の挿入物内へ挿入されるように適合されたボトルストッパとを備える。管状の挿入物は、通路を画定する内面を有し、通路の横断面積は、ボトルの口の中の外端部およびボトル内の内端部からの方向に減少する。管状の挿入物内へストッパが挿入されたとき、挿入物の下部内で通路の幅が減少するため、挿入物は下部内で広げられる。そうすることによって、挿入物の広げられた下部は、下方へ進むとボトルネックが挿入物の広げられた下部の領域内で広がるため、ボトルネックの内壁と連動接続する。管状の挿入物の内面は、その外端部に、ねじ山付きの環状表面部分を有し、ボトルストッパは、その外端部に、管状の挿入物の内面のねじ山付きの環状表面部分に係合するためのねじ山付きの環状表面部分を有する。前述の連動接続（ボトルの口の縁の外側で追加の連動接続によって支持される）のため、ストッパをボトル上でしっかりと保持するのに固定要素は必要とされない。
【０００６】
しかし、米国特許第３，２４５，５６９号に開示されているボトルストッパ構成にも、いくつかの欠点がある。たとえば、特定のボトル、シャンパンワインボトルと組み合わせる場合にしか使用することができず、そのようなボトルのボトルネックの内壁では、ボトル口から開始する方向に直径が増大する。このボトルストッパ構成は、どのボトルにも、たとえば円筒形のボトルネックを有するボトルにも容易に適合することができるわけではない。さらに、管状の挿入物は、従来のワインボトルのコルクの長さに概ね対応して、むしろ長くする必要がある。さらに、ストッパがボトルから取り外されるとき、挿入物はボトル上に残り、そのためボトルの使用が不快なものになる。さらに、ボトル詰め工場でのボトルの封止中に、少なくとも２つの工程を実施しなければならない。第１の工程で、挿入物をボトル上に置く必要があり、第２の工程でしか、ストッパをボトル上に配置することができない。２つの工程が必要とされることで、ボトル詰めは高価なものとなる。さらに、使用者は、ストッパのねじを完全に緩めるのに、ストッパを数回転させる必要があり、そのため開放プロセスが非常に厄介なものになる。
【０００７】
ネック付きのボトル用のストッパは、英国特許第１２７６４８５号に開示されている。同特許に記載されているストッパ構成は、ボトルネック内へ挿入されるように適合された柄を備え、この柄は、回転可能な第１の部材を有し、第１の部材は、柄の内側で第２の部材を移動させる。この柄は、可撓性の舌片を有するキャップを有し、このキャップは、第２の部材が柄の上を移動すると厚さが増大する。スリーブおよび封止リングが、液密のために設けられる。この文献の英国特許第１２７６４８５号の図２に見ることができるように、下部内でキャップの変位の増大が提供され、それによってスリーブの変位が提供される。
【０００８】
しかし、英国特許第１２７６４８５号に開示されているストッパには、封止プロセスなどに関して様々な欠点があり、そのスリーブが大きく、下部で変位が増大するため、すでに組み立てられて封止されたストッパを挿入することが可能ではないため、ストッパをボトル内に配置して回転させる必要がある。
【０００９】
したがって、ストッパをボトルの内側に配置した後に、ストッパを回転させる必要があるため、このボトル詰め方法では、２つの工程が必要とされる。第１の工程で、ストッパをすべての構成要素とともにボトル上に置かなければならず、第２の工程で、封止状態に到達するまで、そのストッパを複数回回転させる必要がある。こうして２つの工程が必要とされることで、ボトル詰めが高価なものになる。
【００１０】
英国特許第２６６３１号は、芯を有し、外装で覆われたストッパを教示している。しかし、このストッパの１つの欠点は、芯の表面全体に外装が設けられることであり、それによってボトルの内側で外装上に芯を配置し、次いで芯を回転させることが必要となる。こうしてボトル詰め中に回転が必要とされることで、ボトル詰め方法が高価なものになる。
【００１１】
英国特許第１２７６４８５号および英国特許第２６６３１号など、ストッパとボトルとの間に封止要素を有する上記の従来技術文献のシステムの別の欠点は、封止要素を配置するため、ストッパとボトルとの間に間隙が形成されることである。この間隙は、汚れおよび塵の蓄積をもたらし、したがって非衛生的な状況を引き起こす。
【００１２】
さらに、米国特許第３，２４５，５６９号、英国特許第１２７６４８５号、または英国特許第２６６３１号など、ストッパの頂部にキャッパなどをもたない閉鎖システムはいずれも、いたずら防止機構をもたないため、ストッパがそれまでに使用されている場合、およびボトルがボトル詰め後に開けられている場合に、使用者にいかなる指示も提供しない。
【発明の概要】
【発明が解決しようとする課題】
【００１３】
したがって、本発明の目的は、欧州特許第１４５１０８１号、欧州特許第１４５６０９２号、英国特許第１２７６４８５号、英国特許第２６６３１号、および米国特許第３，２４５，５６９号から知られているシステムの前述の欠点のいずれかまたはすべてを克服するボトル用の閉鎖システムを提供することである。具体的には、本発明の目的は、ボトル本体に取り付けられる固定要素が無くても、高温および／または水平位置でのボトルの輸送および／または貯蔵にとって十分なほど、ボトル内のストッパの封止を強くすることを可能にするボトル用の閉鎖システムを提供することである。さらに、本発明の他の目的は、特定のボトルを必要とすることなく、製品のボトル詰めのために生産者によって通常使用されるボトルで使うことができるボトル用の閉鎖システムを提供することである。さらに、本発明の他の目的は、ボトル詰め工場でボトルを封止する安価なプロセスを可能にする閉鎖システムを提供することである。さらに、本発明の他の目的は、ストッパの頂部にキャッパなどがない場合に使用することができる、いたずら防止機構を提供することである。さらに、本発明の他の目的は、封止要素によって引き起こされるストッパとボトルとの間の間隙に伴う従来技術のシステムの欠点を克服するボトルを提供することである。
【課題を解決するための手段】
【００１４】
これらの目的のいくつかまたはすべては、独立請求項の主題によって解決される。好ましい実施形態は、従属請求項に依存する。
【００１５】
本発明の第１の実施形態は、飲料または流動食の商業用のボトル詰め向けに設計されたボトル、好ましくはワインボトル用のストッパを提供し、このストッパは、ボトルの口の中へ導入されるストッパ部と、口の外側に残るヘッド部とを備え、ヘッド部は、ストッパ部の直径より大きい直径を有し、ストッパ部は、ボトルとは別個の封止要素の相手側連動機構に係合する連動機構を備え、封止要素は、口の内壁に押し付けられ、それによって、ストッパ部を口の中へ導入するときに封止位置へ動かされるように構成され、連動機構は、ボトルに対してストッパを回転させることを含む開封動作によって封止要素を開封位置へ動かすことを可能にするように構成される。
【００１６】
封止要素は、ボトルとは別個であるため、特別に適合された口を何らもたない（たとえば、口の中の内部ねじ切りがない）標準的なボトルを使用することができる。ストッパは、好ましくは輸送または貯蔵のために追加の固定手段が必要とされない程度に、ボトルに堅く保持される。
【００１７】
さらに、ストッパ部および封止要素は連動機構を備えるため、これにより、開封動作によって、過剰な力を必要とすることなく、封止要素を開封位置へ動かすことが可能になる。開封動作は、とりわけ、ストッパの回転動作を含む。したがって、封止要素は、シールが非常に強い場合でも、実際には、使用者がストッパを長手方向に引くことによってボトルを開けることができないほどシールが強い場合でも、開封位置へ快適に動かすことができる。さらに、製造されたボトル、たとえば標準的なワインボトルの製造公差を補償するほどシールを強くすることが可能になる。ストッパと封止要素との間の連動機構は、たとえば、ねじ山またはバヨネット継手とすることができる。
【００１８】
ストッパのヘッド部は、ボトルの口の外側に残り、したがって使用者は、ねじ回しのような工具を必要とすることなく、ストッパを回すことができる。さらに、ヘッド部は、ストッパ部の直径より大きい直径を有する。そのようにヘッド部を大きくすることで、ヘッド部が確実に外側に残るようにし、てこの力がより大きくなるため、ストッパをより容易に回転させることが可能になる。
【００１９】
本発明の第２の実施形態によれば、第１の実施形態において、封止位置で、ストッパは、摩擦接続のみによってボトル上に保持される。
【００２０】
本発明によるストッパは、封止要素とボトルとの間の連動接続なしで、封止要素とボトルの口の内壁との間の摩擦接続（のみ）によって封止位置で保持される。シールは、ボトル本体に固定要素を取り付けることなく、ボトルを水平位置で輸送および／または貯蔵することができるほど強くすることができる（たとえば、ボトルの口に対してストッパおよびシールの適当な寸法を選ぶことによる）。
【００２１】
本発明の第３の実施形態によれば、第１の実施形態または第２の実施形態において、連動機構は、ねじ山を備える。
【００２２】
本発明の第４の実施形態によれば、前述の実施形態のいずれかにおいて、連動機構は、封止要素に係合するように互いに対して平行に延びる複数のねじ山を備える。本発明の第３の実施形態によるストッパにより、対応するねじ山とストッパのねじ山との係合がより容易になるという追加の利点が提供される。たとえば、２つの平行のねじ山を用いた場合、次の係合の「入口点」を見つけるのに、封止要素に対して１８０度未満しかストッパを回転させる必要がない。さらに、複数のねじ山を有することで、ねじ山を比較的短くし、たとえばストッパ部の全円周より短い長さだけ延びるようにすることがより容易になる。
【００２３】
本発明の第５の実施形態によれば、第４の実施形態において、ねじ山の数は、２〜６である。
【００２４】
本発明の第６の実施形態によれば、第４の実施形態または第５の実施形態において、各ねじ山は、ストッパ部の全円周より短い長さだけ延びる。
【００２５】
本発明の第７の実施形態によれば、第６の実施形態において、各ねじ山は、ストッパ部の円周の実質的に２分の１以下だけ延びる。本発明の第７の実施形態によるストッパにより、ボトルの使用者がボトルを開封するのにストッパを数周にわたって回転させる必要がなくなるという追加の利点が提供される。
【００２６】
本発明の第８の実施形態によれば、第３〜７の実施形態において、ねじ山は、１つまたは複数、好ましくは２つの表面によって長手方向に途切れ、この表面は、好ましくは平らである。本発明の第８の実施形態によるストッパにより、製造プロセスによって引き起こされるあらゆる分割線を（平らな）表面上に収容することができ、したがっていかなる分割線もねじ山上に位置しなくなり、望ましくない摩擦を引き起こさないという追加の利点が提供される。
【００２７】
本発明の第９の実施形態によれば、前述の実施形態の１つにおいて、ストッパ部は、口からストッパが引き抜かれたとき、開封位置へ動かされた後の封止要素がストッパのストッパ部上で保たれるように構成される。本発明の第９の実施形態による封止およびストッパからなる閉鎖システムは、たとえば、使用者がボトルを開けた後に２つの部分に分割される米国特許第３，２４５，５６９号に開示されている閉鎖システムとは異なり、ボトルを開けた後でもユニットを形成する。本発明のこの実施形態による閉鎖システムは、消費者によってより容易に使用することができる。
【００２８】
本発明の第１０の実施形態によれば、前述の実施形態の１つにおいて、封止要素は、ストッパ部のうち、その上の部分の直径より大きい直径を有する部分によって保たれる。
【００２９】
本発明の第１１の実施形態によれば、第１０の実施形態において、ストッパ部は、ストッパの長手方向軸に沿って第１の部分および第２の部分をさらに備え、第２の部分は、第１の部分の直径より大きい直径を有する。第２の部分により、使用者が封止要素を開封位置へ動かしてボトルの口からストッパを引き抜いた後に、封止要素をストッパのストッパ部上で保つことが可能になる。封止要素は、ストッパの第２の部分の直径がより大きいため、ストッパ部上の定位置で維持され、したがってストッパは、使用者によって、ストッパ部上の封止要素ともに取り外すことができる。
【００３０】
本発明の第１２の実施形態によれば、第１１の実施形態において、ストッパ部上の任意の２つの横断面点の直径の差は、３０％以下である。
【００３１】
本発明の第１３の実施形態によれば、第１１の実施形態において、ストッパ部の第１の部分の直径は、ストッパ部の第２の部分の直径の７０％以上である。
【００３２】
本発明の第１４の実施形態によれば、第１１の実施形態または第１２の実施形態において、ストッパ部の第１の部分の直径は、ストッパ部上のねじ山の直径の６０％以上である。
【００３３】
ストッパの上記の構成は、ストッパ部が確実に、いかなる部分でもストッパの他の部分と比較して細くなりすぎないようにし、それによってより高い強度をストッパに提供し、特にガラスなどの堅くてもろい材料から作られているとき、ストッパが容易に破損しないようにする。さらに、ストッパの形状にわずかな変化を有することで、より簡単な成形および製造プロセスが可能になり、その結果、より速く、より高品質で、かつより費用効率の高いストッパが得られる。
【００３４】
本発明の第１５の実施形態によれば、第１１の実施形態において、第１の部分は、ストッパの長手方向軸に沿って実質的に円筒形の形状を有する。
【００３５】
本発明の第１６の実施形態によれば、前述の実施形態の１つにおいて、ストッパ部の表面上に１つまたは複数のチャネルが形成され、これらのチャネルは、ストッパの先端部からストッパの長手方向軸に対して平行に延びる。発泡性の飲料、好ましくは発泡性ワインを含むボトル内では、これによって、ボトルを開けるときにボトル内の内圧を容易に解放することが可能になる。
【００３６】
本発明の第１７の実施形態によれば、第１６の実施形態において、チャネルの数は、好ましくは４である。
【００３７】
本発明の第１８の実施形態によれば、第１６の実施形態または第１７の実施形態において、チャネルは、互いから等距離である。これにより、均一で調節された内圧の解放が確保される。
【００３８】
本発明の第１９の実施形態によれば、前述の実施形態の１つにおいて、ヘッド部は、ヘッド部の側面上で直径方向に対向する位置に形成された少なくとも１対のノッチを備える。これにより、ノッチを使用してストッパのヘッド部上に使用者の指をより良好に把持することができ、それによってストッパのヘッド部の回転をより容易にすることができるため、使用者にとって開放プロセスを簡略化することが可能になる。
【００３９】
本発明の第２０の実施形態によれば、前述の実施形態の１つにおいて、ヘッド部は、頂部から見たとき、円形または多角形の横断面を有する。多角形の横断面を提供する利点は、容易に把持できることである。
【００４０】
本発明の第２１の実施形態によれば、前述の実施形態の１つにおいて、封止要素は、ストッパ部を口の中へ導入するときに口の内壁に押圧される封止部を備える。封止要素は、ストッパとガラスボトルとの間の封止を実現する。
【００４１】
本発明の第２２の実施形態によれば、第２１の実施形態において、封止要素は、封止要素の封止部のネック部分を介して封止部に接合される上部をさらに備え、上部は、封止位置で口の頂面に対してストッパのヘッド部を封止するように適合される。このような封止要素の上部を設ける利点は、ストッパのヘッドとボトルの口との間に封止を提供し、それによって強制的な押圧中にストッパおよびガラスボトルの破損を回避することである。
【００４２】
本発明の第２３の実施形態によれば、第２２の実施形態において、封止要素の上部の上面は、ストッパのヘッド部と封止要素の上部の上面との間の回転摩擦を低減させる手段を備える。封止要素とガラスボトルとの間の摩擦力と比較したとき、ヘッド部と封止要素との間の径方向の摩擦力がより大きい結果、封止要素がストッパとともに回転し、それによってボトル内で封止要素がスピンすることがある。そのように封止要素がスピンすることで、回転によってボトルを開けることが困難になる。摩擦を低減させる手段により、このスピンの問題が解決される。
【００４３】
本発明の第２４の実施形態によれば、第２３の実施形態において、ストッパのヘッド部と封止要素の上部の上面との間の回転摩擦を低減させる手段は、少なくとも１つの縁を備える。
【００４４】
本発明の第２５の実施形態によれば、第２４の実施形態において、縁は、連続する円として形成される。連続する円として形成された縁により、ヘッド部と封止要素の表面との間の接触面積が低減され、それによってストッパのヘッド部と封止要素の上部との間の回転摩擦が低減される。
【００４５】
本発明の第２６の実施形態によれば、第２１の実施形態または第２２の実施形態において、封止要素が封止位置へ動かされたとき、封止位置で口の内壁に押圧され、封止部と口の内壁との間の１つまたは複数の領域内に負圧または吸引力を蓄積するように適合された要素が、封止部の外側に形成される。これにより、ボトルの内壁上で封止部の特にしっかりとした確実な接着が可能になり、それによって封止要素の特にしっかりとした確実な封止が確保される。また、これにより、開封動作中にストッパを封止要素に対して回転させるとき、封止部を定位置で堅く保持することが容易になる。
【００４６】
本発明の第２７の実施形態によれば、第２６の実施形態において、封止部の外側に形成された要素は、隣接リブの形状を有する。
【００４７】
本発明の第２８の実施形態によれば、第２６の実施形態または第２７の実施形態において、封止部の外側に形成された要素は、実質上鋸歯状の横断面を有するリブの形状を有する。これらの鋸歯状の横断面を有するリブは、ガラスボトル上へのより小さい入り口直径を提供し、それによってボトル内への封止要素のより容易な挿入を可能にし、ボトルの口から封止要素が引き抜かれないようにすることを可能にする。
【００４８】
本発明の第２９の実施形態によれば、第２１〜２８の実施形態の１つにおいて、封止部は、封止要素が封止位置に動かされたときに封止部の変形を可能にする可撓性の材料から作られる。
【００４９】
本発明の第３０の実施形態によれば、第２９の実施形態において、封止部は、形状記憶性を有する材料から作られる。これにより、ストッパをボトル内でストッパの封止位置へ動かすことを可能にしながら、開封位置では封止部が静止状態へ容易に戻ることを保証する。
【００５０】
本発明の第３１の実施形態によれば、第２１〜３０の実施形態の１つにおいて、封止位置で、封止部全体が、ストッパ部の上部６０％の高さに位置する。
【００５１】
本発明の第３２の実施形態によれば、第３１の実施形態において、封止位置で、封止部全体が、ストッパ部の上部５０％の高さに位置する。
【００５２】
本発明の第３３の実施形態によれば、第３１の実施形態において、封止位置で、封止部全体が、ストッパ部の上部３０％の高さに位置する。
【００５３】
第３１〜３３の実施形態によって封止位置でストッパの上端部上に封止部を設けることで、ボトル内へのより容易なボトル詰めおよび挿入が可能になる。これは、封止位置でストッパ部の上端部上に封止部が位置するため、ストッパ部全体にわたってまたはストッパ部の下端部上に封止部を設けた場合と比較すると、封止部が最後だけボトルの口に接触するからである。これにより、下端部でスリーブの厚さが増大される英国特許第１２７６４８５号などの閉鎖システムの他の設計と比較すると、より速いボトル詰めプロセスが可能になる。
【００５４】
本発明の第３４の実施形態によれば、前述の実施形態の１つにおいて、封止要素の内面は、封止要素の外面より小さい摩擦係数を有する。これにより、封止要素をボトルの内壁にしっかりと封止することが可能になり、ストッパとの平滑な相互作用をさらに可能にし、開封動作中に封止要素がスピンしない。
【００５５】
本発明の第３５の実施形態によれば、前述の実施形態の１つにおいて、ストッパ部は、ストッパ部のネック部分上で封止要素を押圧する手段を備え、ネック部分を介して、ヘッド部はストッパ部に接合される。「ネック部分」については、本明細書で後にさらに定義する。ストッパ部のネック部分上に押圧手段が位置するということは、押圧手段が位置する領域がヘッド部の真下から開始しなければならないことを意味するわけではないことに留意されたい。ヘッド部とこの領域の開始位置との間には、ある程度の空間、たとえば５ミリメートルの空間を設けることができる。たとえば、そのような空間により、ボトルの口の頂面の湾曲領域内では圧力をかけることが困難であることを考慮することが可能になる。
【００５６】
本発明の第３６の実施形態によれば、第３５の実施形態において、連動機構の少なくとも一部は、封止要素を押圧する手段の少なくとも一部上に配置される。
【００５７】
本発明の第３７の実施形態によれば、第３６の実施形態において、少なくとも封止要素を押圧する手段の下部部分、またはストッパ部のうち、封止要素を押圧する手段の下に位置する部分は、ストッパのヘッド部から離れる方へ長手方向軸に沿って減少する直径を有する。これにより、ストッパ部をボトルの口の中へ導入するときに封止要素を封止位置へ動かすことがより容易になる。
【００５８】
本発明の第３８の実施形態によれば、第３７の実施形態において、連動機構の少なくとも一部は、直径が減少する部分の少なくとも一部上に配置される。これにより、ボトル上の封止要素内へストッパがねじ込まれるとき、圧力をゆっくりと蓄積することが可能になる。
【００５９】
本発明の第３９の実施形態によれば、第３７の実施形態または第３８の実施形態において、直径が減少する部分は、ストッパの長手方向軸に沿って実質的に円錐形の形状を有する。
【００６０】
本発明の第６０の実施形態によれば、第３７〜３９の実施形態の１つにおいて、ストッパ部は、第３の部分および第４の部分を備え、第３の部分は、封止要素を押圧する手段によって構成され、ストッパの長手方向軸に沿って実質的に円筒形の形状を有し、直径が減少する部分である第４の部分の上に配置される。第３の部分は、実質的に円筒形の断面でより大きい直径を有し、それにより、ストッパ部をボトルの口の中へ導入するときに封止要素を封止位置へ動かすのに特に適したものとなる。
【００６１】
本発明の第４１の実施形態によれば、前述の実施形態の１つにおいて、封止要素は、実質的に円筒形の形状のリングを備える。
【００６２】
本発明の第４２の実施形態によれば、前述の実施形態の１つにおいて、封止要素は、封止要素の底部上に開口を有し、開口の直径は、封止要素の頂部上の開口の直径と実質的に同一である。
【００６３】
本発明の第４３の実施形態によれば、前述の実施形態の１つにおいて、封止要素の底部上の開口の直径は、封止要素の頂部上の開口の直径から多くとも２０％変動する。
【００６４】
円形の開口を有する実質的に円筒形の形状のリングにより、ストッパのストッパ部が開口を通過することが可能になり、それによっていたずら防止要素を封止要素上で水平方向にしっかりと保持する。
【００６５】
本発明の第４４の実施形態によれば、前述の実施形態の１つにおいて、封止要素の長さは、ストッパ部の長さの実質的に２分の１以下である。
【００６６】
本発明の第４５の実施形態によれば、第４４の実施形態において、封止要素の長さは、ストッパ部の長さの６０％以下である。
【００６７】
本発明の第４６の実施形態によれば、前述の実施形態の１つにおいて、封止要素の長さは、実質的に封止要素の外径以下である。
【００６８】
本発明の第４７の実施形態によれば、第４６の実施形態において、封止要素の長さは、封止要素の外径の１２０％以下である。
【００６９】
第４４〜４７の実施形態の特徴は、ストッパの寸法に対する封止要素の寸法に関する。ストッパ部より比較的小さい寸法の封止要素を提供することが有利である。たとえば、ボトル詰めプロセスでは、ボトルを封止するために作用させる必要がある力を比較的短時間で加え、それによってより速いボトル詰めプロセスを確実にすることができるため、より長い長さの封止要素を有するストッパより比較的小さい長さの封止要素を有するストッパを導入することがより容易である。
【００７０】
本発明の第４８の実施形態によれば、第１〜３４の実施形態の１つにおいて、封止要素は、少なくとも第１の構成要素および第２の構成要素を備える。異なる構成要素を提供する利点は、各構成要素が異なる仕様に適合することができることである。異なる機能を実行するように特別に設計された異なる構成要素を有することが可能であり、それによって単一の構成要素からなる封止要素を数多く有することの制限が克服される。たとえば、２つの構成要素は、異なる摩擦係数を有する異なる材料から作ることができる。さらに、これらの構成要素は、必要に応じて、ストッパまたはボトルの口の異なる部分と連携するように設計することができる。
【００７１】
本発明の第４９の実施形態によれば、第４８の実施形態において、封止要素の第１の構成要素は、ストッパ上の連動機構に係合するように適合された相手側連動機構を備える。これにより、封止要素をストッパのストッパ部と連動させることが可能になる。
【００７２】
本発明の第５０の実施形態によれば、第４８の実施形態または第４９の実施形態の１つにおいて、封止要素の第１の構成要素は、プラスチック材料からなり、またはプラスチック材料を含む。
【００７３】
本発明の第５１の実施形態によれば、第４８〜７０の実施形態の１つにおいて、第１の構成要素の下部部分は、ねじ留めによって封止要素をストッパ上へ組み立てることを可能にする組立てグリップを備える。これにより、ねじ留め工具を組立てグリップに係合させることが可能になり、したがってストッパおよび封止要素のより容易な組立てが可能になる。
【００７４】
本発明の第５２の実施形態によれば、第４８〜７０の実施形態の１つにおいて、封止要素の第２の構成要素は、封止要素の第１の構成要素より高い可撓性および／または弾性を有する。これにより確実に、第１の構成要素を元の形状のままにしながら、封止動作中に第２の構成要素を圧縮することができる。
【００７５】
本発明の第５３の実施形態によれば、第４８〜５２の実施形態の１つにおいて、第２の構成要素の長さは、ストッパ部の長さの実質的に２分の１以下である。
【００７６】
第５３の実施形態において、本発明の第５４の実施形態によれば、第２の構成要素の長さは、ストッパ部の長さの６０％以下である。
【００７７】
第５３の実施形態および第５４の実施形態の特徴は、ストッパの寸法に対する第２の構成要素の寸法を示す。上記の理由のため、ストッパ部より比較的小さい寸法の封止部を有する第２の構成要素を提供することが有利である。
【００７８】
本発明の第５５の実施形態によれば、第４８〜５２の実施形態の１つにおいて、第２４の実施形態のとき、第２の構成要素は封止部を備える。
【００７９】
本発明の第５６の実施形態によれば、第４８〜５５の実施形態の１つにおいて、第２の構成要素は、実質的に円筒形の形状のリングを備える。
【００８０】
本発明の第５７の実施形態によれば、第５６の実施形態において、第２の構成要素は、第２の構成要素の底部上に開口を有し、開口の直径は、第２の構成要素の頂部上の開口の直径と実質的に同一である。
【００８１】
本発明の第５８の実施形態によれば、第５７の実施形態において、第２の構成要素の底部上の開口の直径は、第２の構成要素の頂部上の開口の直径から多くとも２０％変動する。
【００８２】
封止要素の各端部上に設けられた円形の開口を有する実質的に円筒形の形状のリングにより、封止要素の内側構成要素およびストッパのストッパ部が開口を通過することが可能になる。本発明の第５９の実施形態によれば、第５８の実施形態において、第２の構成要素の長さは、ストッパ部の長さの実質的に２分の１以下である。
【００８３】
本発明の第６０の実施形態によれば、第５９の実施形態において、第２の構成要素の長さは、ストッパ部の長さの６０％以下である。
【００８４】
本発明の第６１の実施形態によれば、前述の実施形態の１つにおいて、封止要素の長さは、実質的に封止要素の外径以下である。
【００８５】
本発明の第６２の実施形態によれば、第６１の実施形態において、封止要素の長さは、封止要素の外径の１２０％以下である。
【００８６】
第５９〜６２の実施形態の特徴は、ストッパの寸法に対する第２の構成要素の全体的な寸法の設計に寄与する封止要素の寸法に関する。上記の理由のため、ストッパ部より比較的小さい寸法の封止部を有する第２の構成要素を提供することが有利である。
【００８７】
本発明の第６３の実施形態によれば、第４８〜５５の実施形態の１つにおいて、封止要素の第１の構成要素は、封止位置で少なくとも部分的にストッパ部と封止要素の第２の構成要素との間に位置するように構成された拡大要素を備える。第１の構成要素上のこの拡大要素は、封止部を外方へ押し、封止部は、ボトルの内側に位置するとき、ボトルネックの内面の方へ移動して封止を可能にする。
【００８８】
本発明の第６４の実施形態によれば、第６３の実施形態において、拡大要素は、長手方向軸に沿って増大する外径を有する。これにより、第１の構成要素を第２の構成要素内へより容易に挿入することが可能になる。
【００８９】
本発明の第６５の実施形態によれば、第６３の実施形態または第６４の実施形態の１つにおいて、拡大要素は、実質的に円筒形の形状のリングである。
【００９０】
本発明の第６６の実施形態によれば、第６３〜６５の実施形態の１つにおいて、拡大要素は、円錐形の形状を有する。
【００９１】
本発明の第６７の実施形態によれば、第６３〜６６の実施形態の１つにおいて、第５６の実施形態に従属するとき、実質的に円筒形の形状のリングは、長手方向軸に沿って増大する内径を有する。
【００９２】
外側構成要素はまた、円錐形の形状の拡大要素を収容する円錐形の内径を有する。これにより、拡大要素によってボトルの口に対する外側構成要素の均一の拡大が提供され、また、拡大要素を外側構成要素内へ入れることが容易になる。
【００９３】
本発明の第６８の実施形態によれば、第６３〜６７の実施形態の１つにおいて、封止要素の第２の構成要素は、ストッパと封止要素の第２の構成要素との間に封止を提供するように構成された封止領域を内側に含む。このリップにより、ストッパと封止要素との間に追加の封止が実現される。
【００９４】
本発明の第６９の実施形態によれば、第６８の実施形態において、封止領域は、封止要素の第２の構成要素の上側に位置する。
【００９５】
本発明の第７０の実施形態によれば、第６８の実施形態または第６９の実施形態の１つにおいて、封止領域は、ストッパのネック部分と封止要素の第２の構成要素との間に封止を提供する。
【００９６】
本発明の第７１の実施形態によれば、第６８の〜９０の実施形態の１つにおいて、封止領域は、１つまたは複数のリップまたはリブを備える。
【００９７】
第２の構成要素の内面の上側の封止領域により、ストッパと封止部との間に封止が提供される。これにより確実に、ストッパと封止要素との間に気密封止が得られる。そのような気密封止は、第１の構成要素とストッパとの間で実現するのが困難なはずである。
【００９８】
本発明の第７２の実施形態によれば、第６３〜７１の実施形態の１つにおいて、封止要素の第１の構成要素の下端部は先細りしている。先細りした下端部により、組み立てられたシステムをボトルの口の中へ容易に導入することが可能になる。
【００９９】
本発明の第７３の実施形態によれば、第６３〜６７の実施形態の１つにおいて、連動機構は、開封動作中にストッパを回転させるとき、ストッパのヘッド部を封止要素の第１の構成要素から比較的離れる方へ移動させることを可能にするように構成される。これにより、ストッパのヘッド部とボトルの口の頂部との間に空間が生じ、開封動作中、ねじを緩めた後のストッパをボトルの口の中へ押し戻すとき、封止要素の第１の構成要素をストッパとともにボトルの口の中へより深く押し込むことが可能になる。
【０１００】
本発明の第７４の実施形態によれば、第７３の実施形態において、開封動作中にストッパを回転させることで、封止要素と口の内壁との間の摩擦力または接着力が低減される。これにより、開封動作が容易になる。
【０１０１】
本発明の第７５の実施形態によれば、第７３の実施形態または第７４の実施形態の１つにおいて、開封動作中に封止要素の第１の構成要素を封止要素の第２の構成要素から比較的離れる方へ移動させることで、封止要素と口の内壁との間の摩擦力または接着力が低減される。これにより、圧力の部分的な解放が可能になり、開封動作が容易になる。
【０１０２】
本発明の第７６の実施形態によれば、第７５の実施形態において、連動機構は、ストッパが口の中へ押し込まれるとき、ストッパが封止要素の第１の構成要素を封止要素の第２の構成要素から離れる方へ移動させることを可能にするように構成される。ねじを緩めた後、ストッパをボトルの口の中へ押し込むことによって、第１の構成要素は、第２の構成要素から離れる方へ押され、それによって圧力が解放され、開封が容易になる。
【０１０３】
本発明の第７７の実施形態によれば、第７３〜７６の実施形態のいずれかにおいて、開封動作中に封止要素をボトルの口の中へより遠く移動させることで、封止要素と口の内壁との間の摩擦力または接着力が低減される。
【０１０４】
本発明の第７８の実施形態によれば、第７７の実施形態において、連動機構は、ストッパが口の中へ押し込まれるとき、ストッパが封止要素をボトルの口の中へより遠く移動させることを可能にするように構成される。
【０１０５】
本発明の第７９の実施形態によれば、第６３〜７８の実施形態のいずれかにおいて、ストッパは、ストッパのヘッド部を封止要素の第１の構成要素の方へ比較的移動させることを含む再封止動作のために使用されるように適合される。
【０１０６】
本発明の第８０の実施形態によれば、第７９の実施形態において、封止要素の第１の構成要素は、ストッパのヘッド部の方へ比較的移動するとき、ストッパ部に沿って封止要素の第２の構成要素の内側へさらに移動して、封止要素を再封止位置へ動かすように構成される。
【０１０７】
本発明の第８１の実施形態によれば、第７９の実施形態または第８０の実施形態のいずれかにおいて、第１の構成要素の下部部分は、第１の構成要素を押してねじ切り手段への係合を容易にするように構成されたばねを含む。
【０１０８】
本発明の第８２の実施形態は、ボトルの口の中へ導入されるストッパ部と、口の外側に残るヘッド部とを備え、ヘッド部はストッパ部の直径より大きい直径を有する、ストッパを提供し、ストッパ内に長手方向の空胴が形成され、長手方向の空胴は、ストッパの長手方向軸に沿って延び、長手方向の空胴の頂端部およびストッパの先端部で開口し、長手方向の空胴の頂端部の開口に、長手方向の空胴の直径より大きい直径を有するフィルタ空胴が形成される。
【０１０９】
フィルタ空胴は、ボトル内のワインの酸化を制御および試験するフィルタおよび熟成度測定に対応するためのものである。これにより、ボトル内のワインの酸化を制御および試験する手段をストッパ内に提供することが可能になる。長手方向の空胴の頂端部の開口にフィルタ空胴を提供することで、フィルタへの容易なアクセスが可能になる。
【０１１０】
本発明の第８４の実施形態によれば、第８２の実施形態または第８３の実施形態の１つにおいて、所与の横断面で、長手方向の空胴（４１７ｂ）の直径は、ストッパ部の直径の３０％以下である。これは、空気がフィルタおよび熟成度測定に到達するためのわずかな開口だけを提供するためである。開口が大きすぎると、多くの空気が提供されすぎることがあり、また中空の空胴のためにストッパが弱くなることもある。
【０１１１】
第８５の実施形態によれば、第８２〜８４の実施形態の１つにおいて、ストッパは、第１〜１０１の実施形態の１つによるストッパである。
【０１１２】
本発明の第８６の実施形態は、ボトルの口の中へ導入されるストッパ部と、口の外側に残るヘッド部とを備え、ヘッド部はストッパ部の直径より大きい直径を有する、ストッパを提供し、ストッパのヘッド部内に貯蔵空胴が形成される。
【０１１３】
本発明の一実施形態によるボトル閉鎖システムのため、従来技術によるシステムのようにストッパを固体の芯要素として作る必要なく、ボトル内のストッパのしっかりとした封止を実現することができる。これにより、空胴内にストッパを製造することが可能になり、それによって、従来技術によるシステムと比較すると、ストッパに必要な材料の量を劇的に低減させることが可能になる。この空胴を使用して、ストッパのヘッド部上に情報資料などを含むことができる。
【０１１４】
第８７の実施形態によれば、第８６の実施形態において、貯蔵空胴は、空胴の所与の横断面に対して空胴の体積が最大になるような深さを有する。
【０１１５】
第８８の実施形態によれば、第８６の実施形態または第８７の実施形態の１つにおいて、貯蔵空胴の深さは、ヘッド部の高さの少なくとも５０％である。
【０１１６】
第８９の実施形態によれば、第８６〜８８の実施形態の１つにおいて、貯蔵空胴の深さは、ヘッド部の高さの少なくとも６０％である。
【０１１７】
第９０の実施形態によれば、第８６〜８９の実施形態の１つにおいて、貯蔵空胴の深さは、ヘッド部の高さの少なくとも７０％である。
【０１１８】
この深さは、最大の貯蔵体積を有する貯蔵空胴を提供することと、空胴がより深いためにストッパ上の材料の体積がより小さいことでヘッド部上の角が不安定になるのを回避することとの間で適切な均衡が得られるように選択される。
【０１１９】
第９１の実施形態によれば、第８６の実施形態において、ストッパのヘッド部上に形成された空胴は、頂部から見たとき、多角形の横断面を有する。
【０１２０】
第９２の実施形態によれば、第９１の実施形態において、ストッパのヘッド部上に形成された空胴は、頂部から見たとき、方形の横断面を有する。
【０１２１】
第９３の実施形態によれば、第９２の実施形態において、ストッパのヘッド部上に形成された空胴は、頂部から見たとき、正方形の横断面を有する。
【０１２２】
方形、特に正方形の横断面の空胴を提供する利点は、空間を効率的に利用して折り畳まれた１片の資料を貯蔵し、また空胴を覆うディスク、ミュズレなどに対する接着剤のための十分な非空胴領域をヘッド部の表面上に提供することである。
【０１２３】
第９４の実施形態によれば、第８６〜９３の実施形態の１つにおいて、頂部から見たときの貯蔵空胴の横断面の対角線の長さは、ヘッド部の上面の対角線の少なくとも７０％である。
【０１２４】
第９５の実施形態によれば、第８６〜９４の実施形態の１つにおいて、貯蔵空胴は、高さ５ｍｍ、長さ１０ｍｍ、および幅１０ｍｍを有する物体を収容するのに十分な大きさである。
【０１２５】
第９６の実施形態によれば、第９５の実施形態において、貯蔵空胴は、高さ７ｍｍ、長さ１５ｍｍ、および幅１５ｍｍを有する物体を収容するのに十分な大きさである。
【０１２６】
第３２〜３４の実施形態による貯蔵空胴の横断面の対角線のこれらの長さは、最大の貯蔵体積を有する貯蔵空胴を提供することと、空胴がより広いためにストッパ上の材料の体積がより小さいことでヘッド部上の側面の角が不安定になるのを回避することとの間で適切な均衡が得られるように選択される。
【０１２７】
第９７の実施形態によれば、前述の実施形態のいずれか１つにおいて、貯蔵空胴および／またはフィルタ空胴を覆うカバーが設けられる。カバーは、貯蔵空胴またはフィルタ空胴を覆って空胴内に配置された材料を保持するために使用される。
【０１２８】
第９８の実施形態によれば、第９７の実施形態において、カバーは、ヘッド部の上面上の凹部によって収容される。この凹部により、カバーの位置合わせが容易になり、またカバーが配置されたとき、ヘッド部の頂面上に同一平面の仕上げが提供される。
【０１２９】
第９９の実施形態によれば、第９７の実施形態または第９８の実施形態の１つにおいて、カバーは、接着剤によってヘッド部の頂面に固定される。これにより、システムの組立てが容易になり、また確実に空胴内の物体が安全に保持される。
【０１３０】
第１００の実施形態では、第８６〜９９の実施形態の１つにおいて、ストッパは、第１〜８４の実施形態の１つによるストッパである。
【０１３１】
第１０１の実施形態では、前述の実施形態の１つにおいて、ストッパは、ガラス、セラミック、プラスチック、金属、および木材、ならびに他の硬化材料からなる群から選択された材料から作られる。
【０１３２】
本発明の第１０２の実施形態は、飲料または流動食の商業用のボトル詰め向けに設計されたボトル、好ましくはワインボトル用のストッパを封止する封止要素を提供し、封止要素は、ボトルとは別個であり、封止位置でボトルの口の内壁に対してストッパを封止する封止部を備え、封止要素の封止部は、口の内壁に押圧されるように構成され、封止要素の封止部は、それによって、ストッパのストッパ部を口の中へ導入するときに封止位置へ動かされるように構成され、封止位置で、ストッパは、摩擦接続によってボトル上に保持され、封止要素は、ストッパ部の連動機構に係合するように適合された相手側連動機構を備え、連動機構は、ボトルに対してストッパを回転させることを含む開封動作によって封止要素を開封位置へ動かすことを可能にするように構成される。この実施形態による封止要素は、従来技術によるストッパで使用される従来の封止要素によって提供される封止が実現できるものよりしっかりとした確実な封止を提供する。
【０１３３】
本発明の第１０３の実施形態によれば、第１０２の実施形態において、封止要素は、第３〜１０１の実施形態の１つに記載の封止要素の特徴をさらに備える。
【０１３４】
本発明の第１０４の実施形態は、本発明の第１〜１０１の実施形態のいずれかによるストッパと、本発明の第１０２の実施形態または第１０３の実施形態のいずれか１つによる封止要素とを備えるシステムを提供する。
【０１３５】
本発明の第１０５の実施形態によれば、第１０４の実施形態において、システムが完全に組み立てられたとき、ストッパおよび封止要素は、互いに対して封止位置の場合と同じ構成である。ボトルの外側で閉鎖システムを組み立てて完全に組み立てられた状態にすることが可能である。これにより、組立ておよびボトル詰めを異なる場所で行うことが可能になる。
【０１３６】
本発明の第１０６の実施形態によれば、第１０５の実施形態において、システムは、完全に組み立てられたときのシステムをボトルの口の中へ押し込むことができ、それによって封止要素を封止位置へ動かすことができるように構成される。本発明による完全に組み立てられた閉鎖システムは、ボトル詰めプロセスにおいて、いかなるさらなる動作も必要とすることなく、ボトル内へ簡単に押し込んで封止位置へ動かすことができる。これにより、より速く簡単なボトル詰めが可能になり、またボトル詰め機械のコストが低減される。
【０１３７】
本発明の第１０７の実施形態によれば、第１０４〜１０６の実施形態の１つにおいて、完全に組み立てられたときのシステムは、全体的に円錐形の形状を有する。本発明による完全に組み立てられた閉鎖システムは、組み立てられたシステムをボトル内へ容易に導入することを可能にするように、円錐形の形状を有し、それによって容易なボトル詰めを可能にする。
【０１３８】
本発明の第１０８の実施形態によれば、第１０４〜１０７の実施形態の１つにおいて、システムは、システムが完全に組み立てられた後にストッパが封止要素に対して径方向および／または軸方向に移動されているかどうかを使用者が発見することを可能にするいたずら防止要素をさらに備える。いたずら防止要素により、使用者は、ボトルがすでに開けられているかどうかを発見することが可能になる。
【０１３９】
第１０８の実施形態において、本発明の第１０９の実施形態によれば、いたずら防止要素は、ストッパおよび封止要素に接続され、したがって、ストッパが封止要素に対して径方向および／または軸方向に移動させられるとき、いたずら防止要素が破断する。ボトル詰めされた状態で何らかの軸方向または径方向の移動が生じた場合、いたずら防止要素は破断し、それによって、ボトルが開けられていること、またはいたずらされたことを示す。
【０１４０】
本発明の第１１０の実施形態によれば、第１０９の実施形態において、いたずら防止要素とストッパとの間の接続は、径方向および／または軸方向の連動接続、摩擦接続、または接着接続である。
【０１４１】
本発明の第１１１の実施形態によれば、第１０９の実施形態または第１１０の実施形態の１つにおいて、いたずら防止要素と封止要素との間の接続は、径方向および／または軸方向の連動接続、摩擦接続、または接着接続である。
【０１４２】
本発明の第１１２の実施形態によれば、第１０８〜１１１の実施形態の１つにおいて、いたずら防止要素は、リングを備える。
【０１４３】
本発明の第１１３の実施形態によれば、第１１２の実施形態において、リングの内径は、封止要素の外径と実質的に同一であり、かつ／または、リングの外径は、ストッパのヘッド部の外径以下である。
【０１４４】
本発明の第１１４の実施形態によれば、第１１２の実施形態または第１１３の実施形態の１つにおいて、封止要素は、第２２の実施形態に記載の特徴を備え、システムが完全に組み立てられたとき、リングは、ストッパのストッパ部上で封止要素の上部の下に位置する。
【０１４５】
いたずら防止要素のリングは、封止要素の封止部がリングに貫入することが可能になり、それと同時にリングがストッパのヘッド部の下に留まるような直径を有する。上記のようにいたずら防止要素を配置することで、封止要素といたずら防止要素との間に軸方向の連動接続および径方向の摩擦接続が形成される。
【０１４６】
本発明の第１１５の実施形態によれば、第１０８〜１１４の実施形態の１つにおいて、いたずら防止要素は、システムが完全に組み立てられたとき、ストッパのヘッド部に接続される１つまたは複数、好ましくは２つのストリップを備える。
【０１４７】
本発明の第１１６の実施形態によれば、第１１５の実施形態において、システムが完全に組み立てられたとき、ストリップは、ストッパのヘッド部の側面、および上面の少なくとも一部に巻き付けられる。
【０１４８】
このようにして、軸方向の連動接続および径方向の摩擦接続がいたずら防止要素とストッパのヘッド部との間に形成される。
【０１４９】
本発明の第１１７の実施形態によれば、第１１６の実施形態において、１つまたは複数のストリップがストッパのヘッド部の側面上のノッチ内に収容される。径方向の摩擦接続に加えて、側面上のノッチにより、径方向の連動機構が提供される。好ましい実施形態では、ストッパのヘッド部の両側に、２つのノッチが設けられる。
【０１５０】
本発明の第１１８の実施形態によれば、第１１６の実施形態または第１１７の実施形態の１つにおいて、システムが完全に組み立てられたとき、ストッパのヘッド部の上面または側面で交わるストリップの端部は、好ましくは接着剤によってともに接合される。これにより、いたずら防止要素とストッパのヘッド部との間の連動接続が実現される。
【０１５１】
本発明の第１１９の実施形態によれば、第１１６の実施形態において、ストッパは、第３５の実施形態によるストッパであり、システムが完全に組み立てられたとき、ストリップは、好ましくは接着剤によってカバーに接続される。ストリップの上の接着カバーにより、いたずら防止要素に対して追加の接着接続が実現される。さらに、カバーはストリップを覆い、それによってより良い外観の上面を提供する。
【０１５２】
本発明の第１２０の実施形態によれば、第１１８の実施形態または第１１９の実施形態の１つにおいて、第１１２の実施形態に従属するとき、ストリップは、リングに接続されてリングから延びる。
【０１５３】
本発明の第１２１の実施形態によれば、第１０８〜１２０の実施形態の１つにおいて、いたずら防止要素は、プラスチック、アルミニウム、または積層アルミニウムからなる群から選択された材料を含み、またはそのような材料からなる。この材料は、開けられたときに容易に破断するのに十分なほど柔らかいが、輸送中に通常の摩耗および引き裂きに耐えるのに十分なほど硬くなるように、いたずら防止要素に対して選択される。
【０１５４】
本発明の第１２２の実施形態は、飲料または流動食の商業用のボトル詰め向けに設計されたボトル、好ましくはワインボトルを提供し、このボトルは、第１０４〜１２１の実施形態の１つによるシステムで封止される。
【０１５５】
本発明の第１２３の実施形態は、第１０４〜１０７の実施形態の１つによるシステムを組み立てる方法を提供し、この方法は、第１０２実施形態または第１０３の実施形態の１つによる封止要素を第１〜１０１の実施形態の１つによるストッパのストッパ部上へ導入する工程を含む。
【０１５６】
本発明の第１２４の実施形態によれば、第１２３の実施形態において、ストッパは、第４８〜１０１の実施形態の１つによるストッパであり、封止要素をストッパ上へ導入する工程は、封止要素の第１の構成要素を封止要素の第２の構成要素内へ導入する工程と、封止要素をストッパのストッパ部上へねじ込む工程とをさらに含む。
【０１５７】
本発明の第１２５の実施形態によれば、第１２４の実施形態において、ストッパは、第５１の実施形態によるストッパであり、封止要素をストッパ上へねじ込む工程は、組立てグリップを使用することによって実行される。
【０１５８】
本発明の第１２６の実施形態によれば、第１２３〜１２５の実施形態の１つにおいて、この方法は、封止要素をストッパのストッパ部上へ導入した後、第１１２の実施形態、第１１３の実施形態、または第１１８の実施形態の１つに記載の特徴を備えるいたずら防止要素をストッパのストッパ部上へ導入する工程をさらに含む。
【０１５９】
第１の構成要素および第２の構成要素を導入し、第１の構成要素および第２の構成要素をストッパ上へねじ込み、またいたずら防止要素を導入した後、完全に組み立てられたシステムが実現されることを含む組立て方法はすべて、ボトルの外側で実行することができる。したがって、組立ては、ボトル詰め前に別個に実行することができる。
【０１６０】
本発明の第１２７の実施形態は、第１０４〜１０７の実施形態の１つによるシステムによって、飲料または流動食の商業用のボトル詰め向けに設計されたボトル、好ましくはワインボトルを封止する方法を提供し、この方法は、封止位置に到達するまで、完全に組み立てられたシステムをボトルの口の中へ押圧する工程を含む。
【０１６１】
本発明の第１２８の実施形態によれば、第１２７の実施形態において、ストッパを回転させることなく、封止位置に到達する。
【０１６２】
第１２９の実施形態によれば、第１２７の実施形態または第１２８の実施形態の１つにおいて、この方法は、完全に組み立てられたシステムをボトルの口の中へ押圧する前に、第１２３〜１２６の実施形態の１つの方法によってシステムを完全に組み立てる工程をさらに含む。
【０１６３】
いたずら防止要素を有する完全に組み立てられた閉鎖システムは、単に押圧によってボトル詰めすることができ、封止位置を実現するのにストッパをボトルの口の中へ回転させる必要はない。このシステムは、いかなる複雑なボトル詰め方法工程も必要としないため、複雑で高価なボトル詰め機械も必要ではなく、それによって全体的なコストが低減される。
【０１６４】
本発明の第１３０の実施形態は、飲料または流動食の商業用のボトル詰め向けに設計されたボトル、好ましくはワインボトルを提供し、このボトルは、ボトルの口の頂面の周囲に沿って形成された連続する突条または途切れる突条を備え、したがって、突条は、連続する円または途切れる円を形成し、突条は、ボトルの口の内周から離れて隔置される。
【０１６５】
後述するようにシステム内で使用されるとき、この実施形態のボトルにより、封止要素の厚さによって形成されうる間隙をボトル上の突条が覆い、それによって間に形成された間隙を通って塵または汚れが封止要素上に蓄積するのが回避されるという利点が提供される。
【０１６６】
本発明の第１３１の実施形態によれば、第１３０の実施形態において、ボトルの口の頂面は実質上平らである。
【０１６７】
この実質上平らな表面により確実に、封止位置で封止要素がボトルの口の頂面上にうまく配置される。
【０１６８】
第１３２の実施形態によれば、第１３０の実施形態または第１３１の実施形態の１つにおいて、突条は、ボトルの口の頂面の外周付近またはその上に形成される。外周付近またはその上に突条を設けることで確実に、ストッパとボトルとの間の間隙の深さが最小まで低減される。
【０１６９】
第１３３の実施形態によれば、第１３２の実施形態において、突条の外側は、ボトルのネックの外側と同一平面である。
【０１７０】
第１３４の実施形態によれば、第１３０〜１３３の実施形態の１つにおいて、突条は、ボトルの口の頂面の周囲に沿って１つまたは複数の位置で途切れている。後述するようにいたずら防止要素を有するシステム内で使用されるとき、この実施形態のボトルにより、これらの位置でいたずら防止要素のストリップを収容することができるという利点が提供される。この実施形態では、突条により、いたずら防止機構が改善されるという追加の利点が提供される。
【０１７１】
第１３５の実施形態によれば、第１３０〜１３４の実施形態の１つにおいて、突条は、ボトルの口の頂面の周囲上に対角線上で対向する２つの側で途切れている。
【０１７２】
第１３６の実施形態によれば、第１３０〜１３５の実施形態の１つにおいて、突条の高さは、２．０ｍｍ以下である。
【０１７３】
第１３７の実施形態によれば、第１３６の実施形態において、突条の高さは１．５ｍｍ以下である。
【０１７４】
第１３８の実施形態によれば、第１３７の実施形態において、突条の高さは１．０ｍｍ以下である。
【０１７５】
第１３９の実施形態によれば、第１３０〜１３９の実施形態の１つにおいて、突条の高さは１．０ｍｍ以上である。
【０１７６】
第１４０の実施形態によれば、第１３０〜１３６の実施形態の１つにおいて、突条の高さは１．５ｍｍ以上である。
【０１７７】
突条の異なる高さは、封止要素の厚さに従って、高すぎ、したがってストッパに接触する突条を設けることと、小さすぎ、したがってストッパとボトルの口との間に大きすぎる間隙を提供する突条を設けることとの間で均衡が得られるように選択される。
【０１７８】
第１４１の実施形態によれば、第１３０〜１４０の実施形態の１つにおいて、突条の横断面は、実質上三角形または方形の形状である。この横断面は、封止要素が突条内に正しく配置されるように選択される。
【０１７９】
第１４２の実施形態によれば、第１３０〜１４１の実施形態の１つにおいて、突条とボトルの口の内周との間の距離は、少なくとも１．５ｍｍである。
【０１８０】
第１４３の実施形態によれば、第１４２の実施形態において、突条とボトルの口の内周との間の距離は、少なくとも２．０ｍｍである。
【０１８１】
第１４４の実施形態によれば、第１４３の実施形態において、突条とボトルの口の内周との間の距離は、少なくとも２．５ｍｍである。
【０１８２】
突条とボトルの口の内周との間の距離は、封止要素を有するシステム内で使用されるとき、突条が突条の円周内に封止要素を収容して重複を回避することができるように選択される。
【０１８３】
本発明の第１４５の実施形態は、第１３０の実施形態によるボトルと、ボトルの口の中へ導入されるストッパ部および口の外側に残るヘッド部を備え、ヘッド部がストッパ部の直径より大きい直径を有し、ボトルとストッパとの間が封止要素で封止されるストッパと、口の頂面に対してストッパのヘッド部を封止するように適合された部分を備える封止要素とを備えるシステムを提供する。
【０１８４】
ヘッド部およびストッパ部を有するストッパと封止要素とを有するシステムでは、封止要素によってストッパのヘッド部とボトルの頂面との間に形成される間隙は、ボトルの口の頂面上に形成される突条によって覆われる。したがって、このシステムは、ボトルとストッパとの間に形成された間隙上で封止要素上に塵または汚れが蓄積するのを停止させる。
【０１８５】
第１４６の実施形態によれば、第１４５の実施形態において、ボトルの口の頂面の周囲に沿って形成される突条の高さは、封止要素のうち、ストッパのヘッド部を口の頂面に対して封止するように適合された部分の厚さより小さい。
【０１８６】
突条の高さは、封止要素の厚さに従って、高すぎず、ストッパに接触しない突条を設けることと、小さすぎず、ストッパとボトルの口との間に大きすぎる間隙を提供しない突条を設けることとの間で均衡が得られるように選択される。
【０１８７】
第１４７の実施形態によれば、第１４５の実施形態において、封止要素のうち、ストッパのヘッド部を口の頂面に対して封止するように適合された部分の外径は、ボトルの口の頂面の周囲に沿って形成された突条の内径より小さい。
【０１８８】
突条とボトルの口の内周との間の距離は、封止要素を有するシステム内で使用されるとき、突条が突条の円周内に封止要素を収容して重複を回避することができるように選択される。
【０１８９】
第１４８の実施形態によれば、第１４５〜１４７の実施形態の１つにおいて、システムは、封止要素およびストッパのヘッド部に接続された１つまたは複数、好ましくは２つのストリップを有するいたずら防止要素をさらに備え、したがって、ストッパが封止要素に対して径方向および／または軸方向に移動させられるとき、いたずら防止要素が破断し、ボトルの口の頂面の周囲に沿って形成された突条は、中断される意味で途切れており、途切れ（中断部）は、１つまたは複数のストリップの配置を可能にするように適合される。
【０１９０】
いたずら防止要素を有するシステムは、ボトルが開けられているかどうかを使用者に通知する。すなわち、ストッパが封止要素に対して径方向または軸方向に移動させられるとき、いたずら防止要素上のストリップが破断する。ボトルの口の頂面上の突条は、いたずら防止要素のストリップを収容するように途切れており、したがって、ストッパが回転させられると、ストリップは破断して、ボトルが開けられていることを意味する。この実施形態では、突条により、いたずら防止機構が改善されるという追加の利点が提供される。
【０１９１】
第１４９の実施形態によれば、第１４８の実施形態において、突条内に形成される途切れの数は、いたずら防止要素のストリップの数に等しい。
【０１９２】
第１５０の実施形態によれば、第１４５〜１４９の実施形態の１つにおいて、ストッパは、第１〜１０１の実施形態のいずれかによるストッパであり、かつ／または、封止要素は、第１０２の実施形態もしくは第１０３の実施形態のいずれかによる封止要素であり、かつ／またはシステムは、第１０８〜１２１の実施形態のいずれかに記載の特徴を備える。
【０１９３】
本発明について、添付の複数の図面を参照しながら、本発明の好ましい実施形態の非限定的な例として、以下の詳細な説明でさらに説明する。これらの図面のいくつかの図全体にわたって、同じ参照符号が同じ要素を表す。以下、実施形態の番号は、本発明の上記の概要における実施形態の番号と一致しない。
【図面の簡単な説明】
【０１９４】
【図１】本発明の第１の実施形態によるボトル用のストッパの側面図である。
【図２】９０度回転後の、図１に表す本発明の第１の実施形態によるボトル用のストッパの別の側面図である。
【図３】本発明の第１の実施形態によるボトル用のストッパの断面図である。
【図４】本発明の第２の実施形態によるボトル用のストッパの断面図である。
【図５】図３に表す本発明の第１の実施形態によるボトル用のストッパの上面図である。
【図６】本発明の第２の実施形態によるボトル用のストッパの斜視横断面図である。
【図７】本発明の第３の実施形態によるボトル用のストッパの斜視横断面図である。
【図８】本発明の第１〜３の実施形態の１つによるボトル用のストッパを封止する封止要素の側面図である。
【図９】図８に表す本発明の第１〜３の実施形態の１つによるボトル用のストッパを封止する封止要素を線Ａ−Ａに沿って切り取った断面図である。
【図１０】本発明の第１〜３の実施形態によるボトル用のストッパを封止する封止要素の上面図である。
【図１１】封止要素が封止位置でストッパのストッパ部上に配置されている、本発明の第１〜３の実施形態によるボトル用のストッパの断面図である。
【図１２】本発明による封止要素が、ボトルを開けるプロセス中の位置でストッパのストッパ部上に配置されている、本発明の第１〜３の実施形態によるボトル用のストッパの断面図である。
【図１３】本発明の第４の実施形態によるボトル用のストッパの側面図である。
【図１４】本発明の第５の実施形態によるボトル用のストッパの側面図である。
【図１５】本発明の一実施形態による封止要素がストッパのストッパ部上に配置されている、本発明の第４の実施形態または第５の実施形態によるボトル用のストッパの側面図である。
【図１６】封止要素が開封位置で図１５に表すストッパのストッパ部上に配置されている、ボトル用のストッパの側面図である。
【図１７ａ】第６の実施形態によるストッパの側面図である。
【図１７ｂ】第６の実施形態によるストッパの側面図である。
【図１８】図１８ａは、第６の実施形態による封止要素の外側構成要素の正面図である。図１８ｂは、第６の実施形態による封止要素の外側構成要素の横断面側面図である。
【図１９】図１９ａは、第６の実施形態による封止要素の内側構成要素の図である。図１９ｂは、第６の実施形態による封止要素の内側構成要素の横断面図である。
【図２０】第６の実施形態によるストッパおよび封止要素を備えるシステムの分解図である。
【図２１】一実施形態による封止要素が封止位置にある、第６の実施形態によるボトル用のストッパの横断面側面図である。
【図２２】一実施形態による封止要素が一部開封位置にある、第６の実施形態によるボトル用のストッパの横断面側面図である。
【図２３】一実施形態による封止要素が開封位置にある、第６の実施形態によるボトル用のストッパの横断面側面図である。
【図２４ａ】本発明による閉鎖システムを封止する２つのストリップを有する好ましい実施形態によるいたずら防止要素の上面図である。
【図２４ｂ】本発明による閉鎖システムを封止する１つのストリップを有するいたずら防止要素の上面図である。
【図２４ｃ】本発明による閉鎖システムを封止する３つのストリップを有するいたずら防止要素の上面図である。
【図２４ｄ】本発明による閉鎖システムを封止する４つのストリップを有するいたずら防止要素の上面図である。
【図２４ｅ】本発明による閉鎖システムを封止する５つのストリップを有するいたずら防止要素の上面図である。
【図２５ａ】いたずら防止要素が設置されていない、完全に組み立てられた閉鎖システムの等角図である。
【図２５ｂ】いたずら防止要素が設置されているがカバーを配置する前の、完全に組み立てられた閉鎖システムの等角図である。
【図２５ｃ】いたずら防止要素が設置され、カバーがヘッド部上に配置された、完全に組み立てられた閉鎖システムの等角図である。
【図２５ｄ】ストッパが回転させられたときにいたずら防止要素が破断した、完全に組み立てられたシステムの等角図である。
【図２６ａ】本発明の一実施形態によるボトルの上面図である。
【図２６ｂ】本発明の一実施形態によるボトルの等角図である。
【図２６ｃ】本発明の実施形態によるボトルの側面図である。
【発明を実施するための形態】
【０１９５】
本明細書は、ボトル用の閉鎖システムの様々な実施形態について説明する。本明細書に記載の様々な実施形態の１つによる閉鎖システムと組み合わせて使用することができるボトルは、特に、飲料または流動食の商業用のボトル詰め向けに設計されたボトル、具体的にはとりわけワインボトルまたはアルコールを含む飲料のボトルとすることができる。飲料の商業用のボトル詰めとは、さらなる販売を目的とするボトル詰めを指し、ボトル詰めされたユニットを製造またはボトル詰めの地点から販売または使用の地点まで輸送することを含む。本明細書に記載の様々な実施形態の１つによる閉鎖システムはまた、油または酢のボトルと組み合わせて使用することができる。ボトルの材料に関する限り、本明細書に記載の様々な実施形態の１つによる閉鎖システムは、ほんの少数の例を挙げれば、ガラス、陶器、プラスチック、セラミック、または金属から作られたボトルと組み合わせて使用することができる。しかし、当業者であれば、本発明によるストッパを使用して、異なる材料から作られた異なる形状または寸法の開口を有するボトル設計またはジャーに適合させることが可能であろう。また、商業用だけではなく、個人向け、たとえば飲食店または家庭向けのストッパを実施することも、本発明の範囲内である。
【０１９６】
本明細書全体にわたって、「上（ａｂｏｖｅ）」、「上（ｕｎｄｅｒ）」、「上（ｕｐ）」、「下（ｄｏｗｎ）」、「上部（ｕｐｐｅｒ）」、「下部（ｌｏｗｅｒ）」などのような相対的な位置または方向を表す用語は、ボトルが直立しているときのボトル、ストッパ、および封止要素の自然な位置を指す。
【０１９７】
本発明の第１の形態
本発明の第１の形態について、図１〜１６を参照しながら詳細に次に説明する。
【０１９８】
ストッパ
図１は、本発明の第１の実施形態によるボトル用のストッパ１の側面図を示す。ストッパ１は、ボトルの口の中へ導入されるストッパ部２と、ネック部分を介してストッパ部２に繋げられたヘッド部３とを備える。ストッパ１のヘッド部３は、概して、ストッパ１のうち、ボトルがストッパ１によって封止されるときにボトルの口から突出する部分と定義することができる。ネック部分は、概して、ストッパ１のうち、ヘッド部３がストッパ部２に接合される部分と定義することができる。したがって、ネック部分は、ストッパ１のうち、ヘッド部３とストッパ部２との間の遷移部分を表す。ネック部分は、ヘッド部３から離れる方へストッパ部２上を一定の距離にわたって延びる。したがって、ネック部分は、ストッパ部２のうち、ヘッド部３の真下に位置する部分だけを含むわけではない。
【０１９９】
図１で表す例示的な実施形態では、ネック部分は、ヘッド部３の真下に位置する湾曲部分から始まることができ、この湾曲部分からヘッド部３とストッパ部２との間の遷移部分が始まり、次いで、ネック部分は、ストッパ１の長手方向軸に沿って、第３の部分２１の上、および場合によっては第４の部分２２の上をさらに延びることができる。しかし、ネック部分は、ストッパ部２上で、ストッパ１の長手方向軸に沿って実質上変動しうる距離にわたって延びることができることが、当業者にはすぐに理解されよう。ネック部分は、たとえば、湾曲部分および第３の部分２１に制限することができる。さらに、ヘッド部３とストッパ部２との間に湾曲部分が設けられておらず、したがってネック部分が第３の部分２１から始まるようにすることもできる。湾曲部分の代わりに、ヘッド部３とストッパ部２との間に中間部分を設けることもでき、この中間部分は、溝を有する部分、すなわち直径が第３の部分２１の直径より小さい部分とすることができる。
【０２００】
ヘッド部３は、好ましくは、ストッパ部２の直径より大きい直径を有し、ヘッド部３の直径は、ボトルの口の外径に実質的に対応する。ボトルがワインボトルである場合、ヘッド部３の直径は約３０ｍｍである。しかし、本発明の一実施形態によるストッパの寸法は、特定の応用例に応じて変動しうることに留意されたい。詳細な説明に示す寸法は、例示のみを目的とし、限定的なものではない。また、円形の形状以外の形状を有するヘッド部を提供することもできることが、当業者には想定されよう。たとえば、ヘッド部は、多角形、特に正方形または六角形のような偶数の多角形とすることができる。
【０２０１】
図１の例示的な実施形態では、ストッパ部２は、第３の部分２１および第４の部分２２を含むネック部分を備え、ネック部分２１、２２は、ストッパ１のヘッド部３から離れる方へストッパ１の長手方向軸に沿って減少する直径を有する。ボトルがＸ±１ｍｍの内径を有する場合、ネック部分２１、２２は、ストッパ１のヘッド部３から離れる方へ長手方向軸に沿って、（Ｘ−４）ｍｍ±１ｍｍの値から（Ｘ−６）ｍｍ±１ｍｍに減少する。ワインボトルの場合、Ｘは１８．５ｍｍにほぼ等しい。したがって、ワインボトルの内径は、１７．５ｍｍ〜１９．５ｍｍの間で変動することができる。
【０２０２】
図１に示す実施形態では、ネック部分は、実質的に円筒形の形状を有する第３の部分２１を備え、第３の部分２１は、ストッパ１の長手方向軸に沿ってヘッド部３と第４の部分２２との間に位置する。第４の部分２２は、好ましくは、実質的に円錐形の形状を有する。しかし、図１は、第３の部分２１が円筒形の形状を有し、第４の部分２２が実質的に円錐形の形状を有する特定の例を示すが、ネック部分が、ストッパ１のヘッド部３から離れる方へ長手方向軸に沿って、実質的に円錐形の形状に沿って減少するようにもできる。以下の説明から明らかになるように、図１に表すように、ネック部分が円筒形の形状を有する第３の部分２１と、円錐形の形状を有する第４の部分２２とを有することは、本発明の特に有利な実施形態である。
【０２０３】
ボトルがＸ±１ｍｍの内径を有する場合、第３の部分２１は、（Ｘ−４）ｍｍ±１ｍｍに等しい直径を有する。したがって、第４の部分２２は、ストッパ１のヘッド部３から離れる方へ長手方向軸に沿って、値（Ｘ−４）ｍｍ±１ｍｍから（Ｘ−６）±１ｍｍに減少する。
【０２０４】
図１から明らかなように、ストッパ部２は、ストッパ１の長手方向軸に沿ってネック部分２１、２２の後、第１の部分２３および第２の部分２４を備え、第１の部分２３は、ストッパ１の長手方向軸に沿って第４の部分２２と第２の部分２４との間に位置する。第１の部分２３は、実質的に円筒形の形状を有し、第２の部分２４は、第１の部分２３の直径より大きい直径を有する。本発明の好ましい実施形態によれば、第３の部分は、（Ｘ−６）ｍｍ±１ｍｍに等しい直径を有し、第２の部分２４は、（Ｘ−４）ｍｍ±１ｍｍの直径を有する。
【０２０５】
本発明の一実施形態によれば、ストッパ部２は、ねじ山２５を備える。本発明の好ましい実施形態によれば、ネック部分２１、２２は、ストッパ部２のネック部分２１、２２上で互いに対して平行に延びる複数のねじ山２５を備える。好ましくは、ねじ山の数は、４〜６、最も好ましくは５である。各ねじ山は、好ましくは、ストッパ部２のネック部分２１、２２の全周より短い距離だけ延びる。本発明の特に有利な実施形態によれば、各ねじ山２５は、ストッパ部２のネック部分２１、２２の円周の実質的に２分の１だけ延びる。
【０２０６】
図１に示すように、ストッパのネック部分は、ストッパ部の上端部上に位置する。すなわち、一実施形態では、ネック部分は、ストッパ部の５０％未満である。別の実施形態では、ネック部分は、ストッパ部の４０％未満である。さらに別の実施形態では、ネック部分は、図１に見られるように、ストッパ部の３０％未満である。さらに、ネック部分の長さは、ストッパ部上の第１の部分または第２の部分の長さに類似している。別の実施形態では、ネック部分は、ストッパ部上の第１の部分または第２の部分の長さの１２０％以下である。
【０２０７】
好ましい実施形態では、図２および例示的な実施形態で参照した寸法から分かるように、ストッパ部２上の点の任意の２つの横断面の直径の差は、３０％以下である。同様に、第１の部分２３の直径は、ストッパ部２の第２の部分２４の直径の７０％以上である。さらに、ストッパ部の第１の部分２３の直径は、ストッパ部上のねじ山の直径の６０％以上である。
【０２０８】
ストッパ２３の上記の構成は、ストッパ部が確実に、いかなる部分でもストッパの他の部分と比較して細くなりすぎないようにし、それによってより高い強度をストッパに提供し、特にガラスなどの堅くてもろい材料から作られているとき、ストッパが容易に破損しないようにする。さらに、ストッパの形状にわずかな変化を有することで、より簡単な成形および製造プロセスが可能になり、その結果、より速く、より高品質で、かつより安価なストッパが得られる。
【０２０９】
図２は、９０°回転させた後の図１に表す本発明の第１の実施形態によるボトル用のストッパ１の別の側面図を示す。図１に関してすでに説明した要素に加えて、ヘッド部３は、１対のノッチ３１、３２を備える（図２にはノッチ３１のみを示す）。ノッチ３１、３２は、ヘッド部３の側面上で直径方向に対向する位置に形成される。この特定の配置は、ヘッド部３の側面上で直径方向に対向する位置に配置されたノッチ３１、３２を示す図５の上面図から明らかである。
【０２１０】
図３は、本発明の第１の実施形態によるボトル用のストッパ１の断面図を示し、この断面図は、図２に表す線Ａ−Ａに沿って切り取ったものである。図３に見ることができるように、ストッパ１内に長手方向の空胴２７が形成され、長手方向の空胴２７は、ストッパ１のヘッド部３の上面からストッパ１０の長手方向軸に沿って延びる。
【０２１１】
図４は、本発明の第２の実施形態によるボトル用のストッパ１０の断面図を示す。この実施形態では、長手方向の空胴２７は、ストッパ１０全体を通って延び、ストッパ１０の先端部で開口する。図４は、長手方向の空胴２７がストッパ１０のストッパ部２の先端部で開口２８を通って開口することを示す。本発明の第２の実施形態によるストッパ１０は、ワインボトルを閉めるために使用されるときに特に有利である。空胴はまた、液体不透過性と通気性の両方を一定程度有する材料から作られたフィルタを収容するために使用することができるフィルタ空胴として作用する。そのようなフィルタは、１つの可能な材料のみを挙げれば、たとえば、Ｄｏｗ  Ｃｈｅｍｉｃａｌｓ製のＳａｒａｎｅｘ（商標）という材料から製造することができる。このフィルタは、長手方向の空胴２７の底部で開口２８に直接接触して空気を通さないように配置され、それによって、ワインボトル内へ貫入することができる酸素の量を制御することが可能になる。そうすることによって、ワインの熟成プロセスを制御することができる。
【０２１２】
例示のみを目的として、本発明の第１の実施形態および第２の実施形態によるストッパ１、１０の寸法は、次の通りとすることができ、すでに上述したこれらの寸法は、限定的なものではなく、当業者が本発明の実施形態を実施するのに役立つ指示を当業者に与えるためのものである。
【０２１３】
ボトルがワインボトルである場合、ストッパのヘッド部３の外径は、約３０ｍｍとすることができ、その長手方向軸に沿ったストッパの長さは、ヘッド部３の上面からストッパ部２の先端部までを測定したとき、３５ｍｍ前後とすることができる。ストッパの長手方向軸に沿ったヘッド部３の長さは、約９ｍｍとすることができ、したがって、ストッパ部２の長さは、約２６ｍｍとすることができる。ストッパ部２の第３の部分２１は、好ましくは、円筒形の形状を有し、ほぼ１５ｍｍの直径を有し、ストッパの長手方向軸に沿って約４ｍｍの長さを有する。第４の部分２２は、第３の部分２１から減少する直径、すなわち約１５ｍｍから約１３ｍｍに減少する直径を有し、第４の部分２２は、ストッパの長手方向軸に沿って約４ｍｍの長さを有する。第１の部分２３は、ストッパの長手方向軸に沿って約６ｍｍの長さを有し、約１３ｍｍの直径を有する。最後に、第２の部分２４は、ほぼ１５ｍｍの直径を有し、ストッパの長手方向軸に沿って約９ｍｍの長さを有する。上記の測定値は例示的な実施形態であるが、第２の部分の直径および長さは、使用される材料に応じて、第２の部分が容易なボトル詰めを確保するのに最適の体積および質量を有するように設計される。その詳細については、本明細書で後に説明する。さらに、当業者であれば、第１の部分より大きい第２の部分の最大の横断面の長さ（または直径）を維持することによって、上記の実施形態に記載の円筒形とは異なる形状または形状の組合せになるように、第２の部分を設計することが可能になるはずである。
【０２１４】
図３および図４に示す実施形態によれば、長手方向の空胴２７は、ヘッド部３から離れる方へストッパの長手方向軸に沿ってわずかに減少する直径を有する。例示のみを目的として、ヘッド部３の上面における長手方向の空胴２７の直径は、ほぼ１０ｍｍとすることができ、ストッパ部２内の長手方向の空胴２７の底部における直径は、８ｍｍとすることができる。さらに、図４の実施形態に見られるように、空胴２７は、たとえば３ｍｍの直径を有することができる開口２８で開口することができる。
【０２１５】
本明細書では、「開口」という用語は、ボトル内またはボトル外への空気へのアクセスを有する開口に関する。
【０２１６】
図５を再び参照すると、ヘッド部３がヘッド部３の側面上で直径方向に対向する位置に配置された１対のノッチ３１、３２を備えることが明らかである。各ノッチ３１、３２内には、使用者が指、たとえば親指および人差し指を使用してノッチ３１、３２を保持してボトルを開けるとき、摩擦を増大させるために、小さい隆起３１’、３２’が設けられる。
【０２１７】
図６は、本発明の第２の実施形態によるボトル用のストッパ１０の斜視横断面図を示す。図６は、ストッパ１０の内側、特に長手方向の空胴２７の内壁を明らかにしている。図６は、開口２８をさらに示し、長手方向の空胴２７は、開口２８を出て、ストッパ１０から開口する。
【０２１８】
図７は、本発明の第３の実施形態によるボトル用のストッパ１００の斜視横断面図を示す。本発明の第３の実施形態によるボトル用のストッパ１００は、ストッパ部２の先端部に開口が設けられておらず、したがって長手方向の空胴２７がストッパ部２の先端部で開口しないという点で、第２の実施形態によるボトル用のストッパ１０とは異なる。したがって、長手方向の空胴２７は、図７から明らかなように、ヘッド部３の上面のみで開口する。
【０２１９】
当業者には理解されるように、上記の長手方向の空胴を有するストッパは、上記の閉鎖システムだけではなく、そのような任意の閉鎖システムで実施することができ、ストッパ部は、封止要素の相手側連動機構に係合する連動機構を備え、連動機構は、ボトルに対してストッパを回転させることを含む開封動作によって封止要素を開封位置へ動かすことを可能にするように構成される。たとえば、空胴は、有利には、欧州特許第１４５６０９２号に記載の従来技術のストッパと組み合わせて使用することができる。
【０２２０】
封止要素
図８は、本発明の第１の形態によるボトル、好ましくはワインボトルのような飲料ボトル用のストッパを封止する封止要素４の側面図を示す。封止要素４は、ボトルとは別個であり、すなわちボトルの一部を形成するものではなく、またボトルに取り付けられるものでもない。封止要素４は、封止位置で本発明の一実施形態によるストッパ１、１０、１００のストッパ部２をボトルの口の内壁に対して封止する封止部４２を備える。封止要素４は、ストッパ１、１０、１００のストッパ部２を封止要素４内へ導入することができるように形成される。たとえば、封止要素４の封止部４２は、実質的にリングまたは管の形状を有することができる。
【０２２１】
封止要素４は、好ましくは、封止部４２に接合される上部４１をさらに備え、上部４１は、ボトルの口の中の封止位置で本発明の一実施形態によるストッパ１、１０、１００のヘッド部３をボトルの口に対して封止することを可能にする。封止要素４の上部４１は、封止要素４の封止部４２に実質的に直交して延びる。これにより、本発明の実施形態によるストッパおよび封止要素のため、ボトルの口を特にしっかりと確実に封止することが可能になる。さらに、この実施形態では、ストッパのヘッド部３は、ボトルの口の頂部に直接接触しておらず、ストッパが何らかの力によってボトルの口の中へ導入されるときにストッパまたはボトルが破損または損傷するのを防止する。最後に、この実施形態はまた、ストッパが口の中へ導入されるときに封止要素４がボトルの口の中へ（より深く）滑り込むのを防止するのに役立ち、輸送中の損傷を防止する。
【０２２２】
しかし、上部４１は、ヘッド部の下面とボトルの口の上面との間に径方向の摩擦力を作用させる。しかし、封止要素とガラスボトルとの間の摩擦力と比較したとき、ヘッド部と封止要素との間の径方向の摩擦力がより強い結果、封止要素がストッパとともに回転し、それによってボトル内で封止要素がスピンする。そのようにボトル内で封止要素がスピンすることで、ストッパを回転させることによってボトルを開けることが困難になる。こうして上面上で摩擦力が強くなるのを回避するために、ストッパのヘッド部と封止要素の上部の上面との間の回転摩擦を低減させる手段が設けられる。ストッパのヘッド部と封止要素の上部の上面との間の回転摩擦を低減させるこの手段は、封止要素の上部の上面上に設けられた少なくとも１つの縁とすることができる。この縁は、連続する円として形成され、それによってヘッド部との接触面積が低減され、それによってストッパのヘッド部と封止要素の上部との間の回転摩擦が低減される。
【０２２３】
本発明の一実施形態による封止要素４は、ほんの少数の可能な材料を挙げれば、天然ゴム、生物ベースでかつ／または生分解性のシリコーンなど、可撓性および／または弾性の材料から作られる。好ましくは、形状記憶材料が選択され、形状記憶材料は、封止位置における封止要素４の少なくとも一部（たとえば、封止部４２）の圧縮および開封位置における封止要素の少なくとも一部（たとえば、封止部４２）の伸張を可能にし、したがって、封止要素を開封位置へ動かしたとき、封止要素が元の形状、すなわち圧縮前の形状に跳ね返るようにする。
【０２２４】
本発明の実施形態による封止要素４の封止部４２は、封止要素の頂端部と底端部の両方に開口を有する実質的に円筒形の形状のリングである。図９に見られる横断面図に示すように、封止要素の底部上の開口は、封止要素の頂部上の開口の直径に実質的に同一の直径を有する。多くても、封止要素の底部内の開口の直径は、封止要素の頂部上の開口の直径から２０％変動する。実質的に円筒形の形状のリングが、封止要素４の各端部上に設けられた円形の開口を有することにより、ストッパのストッパ部はそれらの開口を通過することが可能になる。
【０２２５】
封止要素のこれらの寸法は、ストッパの寸法に対する封止要素の全体的な寸法の設計に寄与する。概して、ストッパ部より比較的小さい寸法の封止要素を提供することが有利である。これは、ボトル詰めプロセスでは、ボトルを封止するために作用させる必要がある力を比較的短時間で加え、それによってより速いボトル詰めプロセスを確実にすることができるため、より長い長さの封止要素を有するストッパより比較的小さい長さの封止要素を有するストッパを導入することがより容易になるからである。
【０２２６】
好ましい実施形態では、より小さい封止要素は、図１１に示す実施形態に見られるように、ストッパ部の長さの実質的に２分の１以下の長さを有する封止要素を設計することによって実現される。
【０２２７】
封止要素の直径に対する封止要素の長さを考慮するとき、図１１に示す実施形態では、封止要素の長さが封止要素の外径以下であることが分かる。当業者には理解されるように、封止要素の外径は、ボトルの口の内径と実質的に同じである。したがって、封止要素の長さをその直径の１２０％以下にする結果、封止要素の長さは、ストッパと比較するとより小さくなる。
【０２２８】
図８をさらに参照すると、封止要素４は、好ましくは、２つの隣接リブ４３、４４を備え、２つの隣接リブ４３、４４は、封止部４２の外側部分に形成され、好ましくは上部４１と封止部４２との間の接合部の隣に位置する。２つの隣接リング４３、４４は、本発明の一実施形態によるストッパ１、１０、１００のストッパ部２をボトルの口の中へ導入するときにボトルの口の内壁に押圧することができるように形成、寸法設定、および配置される。ボトルの口の内壁に押圧されたとき、隣接リブ４３、４４とボトルの口の内壁との間に捕らえられた空気は取り除かれ、リブ４３、４４は、ボトルの口の内壁の表面に強力に接着する。こうして封止要素がボトルの内壁上に特にしっかりと確実に接着することで確実に、ストッパ部をボトルの口の中へ導入するときにストッパ部が封止要素に圧力を作用させるとき、封止要素が特にしっかりと確実に封止される。
【０２２９】
例示のみを目的として、本発明の一実施形態による封止要素４の寸法は、次の通りとすることができる。封止要素４の上面は、ほぼ２４ｍｍの幅を有することができ、封止要素４の下部は、ほぼ１５ｍｍの幅を有することができる。隣接リブ４３、４４は、収縮していない状態で、約１８ｍｍの外径を有することができる。封止要素４は、長手方向軸に沿って約１２ｍｍの全長を有することができる。各リング４３、４４は、封止要素４の長手方向軸に沿って約２．５ｍｍの長さを有することができる。
【０２３０】
図９は、図８に表す本発明の一実施形態によるボトル用のストッパ１、１０、１００を封止する封止要素４の線Ａ−Ａに沿って切り取った断面図を示す。封止要素４の封止部４２内に形成された内壁は、図９から明らかである。封止部４２の内壁上に、少なくとも１つのねじ山４５が形成される。封止部４２の内壁は、本発明の一実施形態によるストッパ１、１０、１００のストッパ部２の１つのねじ山２５と相互作用するように適合された１つのねじ山４５を備えることができる。
【０２３１】
しかし、本発明の好ましい実施形態によれば、封止部４２の内壁は、封止部４２の内壁上で互いに対して平行に延びる複数のねじ山４５を備える。本発明の有利な実施形態によれば、内壁は、封止部４２の内壁の表面上を延びる４つ〜６つ、好ましくは５つのねじ山４５を備える。各ねじ山４５は、好ましくは、封止部４２の内壁の全周より短い距離だけ延びる。各ねじ山が封止部４２の内壁の円周の実質的に２分の１だけ延びる場合、特に有利である。
【０２３２】
封止要素４の封止部４２の内壁上に配置された１つまたは複数のねじ山４５は、本発明の一実施形態によるストッパ１、１０、１００のストッパ部２の１つまたは複数のねじ山２５に対応するように形成および寸法設定される。
【０２３３】
図１０は、本発明の一実施形態によるボトル用のストッパを封止する封止要素４の上面図を示す。図１０は、封止要素４の上部４１を頂部から示す。上部４１の表面は、ストッパがボトルの口の中へ導入された後に本発明の一実施形態によるストッパ１、１０、１００のヘッド部３の底面が位置する表面である。封止要素４は、本発明の一実施形態によるストッパのストッパ部２が導入される中心開口を備える。図９および図１０から明らかなように、封止要素４の上部４１内の開口の直径は、好ましくは、上部４１の上面のレベルで、上部４１内のさらに下の直径より大きく、本発明の一実施形態によるストッパのストッパ部２の導入を容易にする。同じ理由のため、封止要素の上部４１内の開口の直径は、好ましくは、封止要素の封止部４２の中心開口の直径より大きい。
【０２３４】
封止位置
図１１は、本発明の一実施形態によるストッパおよびボトル（図示せず）の口の封止位置にある本発明の一実施形態による封止要素の断面図である。封止要素の封止位置で、ストッパのストッパ部２の少なくとも一部分は、封止要素４の少なくとも一部分をボトルの口の内壁に押圧する。図１１に示す実施形態の場合、ストッパ部２の第４の部分２２より大きい直径を有するストッパのストッパ部２の第３の部分２１が、封止要素４の封止部４２をボトルの口の内壁に押圧する。
【０２３５】
押圧力は、ボトルの口の内径に対してストッパのストッパ部２の少なくとも一部（たとえば、第３の部分２１）および封止要素４の少なくとも一部（たとえば、封止部４２）の寸法を適当に選択することによって実現される。たとえば、封止要素（の一部）の厚さは、ボトルの口の内壁の半径とストッパのストッパ部２（の一部）の半径との間の差より大きくなるように選択される。その結果、封止要素４の少なくとも一部は、封止位置で圧縮される。
【０２３６】
本発明の好ましい実施形態によれば、ストッパ部２の第３の部分２１は、円筒形の形状を有し、ストッパ部２の円筒形の第３の部分２１の表面全体で、封止要素４の封止部４２をボトルの内壁に押圧することを可能にする。これにより、封止要素４の封止部４２のネック部分で、ボトルの内壁の方への強い力を封止要素４の封止部４２へ作用させることが可能になる。
【０２３７】
上記のように、本発明の好ましい実施形態によれば、２つの隣接リブ４３および４４は、ストッパ部２の封止部４２のこのネック部分に配置される。したがって、ストッパ部２の円筒形の第３の部分２１は、封止要素４の封止部４２へ強い力を作用させることによって、２つの隣接リブ４３、４４をボトルの内壁に押圧する。これにより、ボトルの内壁上で封止要素４を特にしっかりと確実に接着させることが可能になる。
【０２３８】
図１１に示すように、封止位置では、封止部はストッパ部の上端部上に位置する。すなわち、一実施形態では、封止部４２は、ストッパ部の上部６０％の高さに位置する。別の実施形態では、封止部４２は、ストッパ部の上部５０％の高さに位置する。さらに別の実施形態では、封止部４２は、図１１に見られるように、ストッパの上部３０％の高さに位置する。
【０２３９】
封止位置でストッパの上端部上に封止部を設けることで、ボトル内へのより容易なボトル詰めおよび挿入が可能になる。これは、封止位置でストッパ部の上端部上に封止部が位置するため、ストッパ部全体にわたって封止部を設けた場合と比較すると、封止部が最後だけボトルの口に接触するからである。この結果、後述する閉鎖システムの他の設計と比較すると、より速いボトル詰めプロセスが得られる。
【０２４０】
開封位置
図１２は、ボトルを開けるプロセス中に開封位置にある本発明の一実施形態によるストッパおよび封止要素を示す断面図である。図１２は、ストッパのストッパ部２の第３の部分２１が、もはや、封止位置の場合のように封止要素４の封止部４２をボトルの口の内壁の方へ押圧しないことを示す。図１２の断面図では、ストッパは、ストッパの長手方向軸に沿ってストッパ２の第３の部分２１の長さに実質的に等しい距離だけ封止要素４から突出する。図１２は、ストッパのストッパ部２の第４の部分２２が、封止部４２のネック部分に対応するレベルで、封止要素４の封止部４２の内壁に接触し、隣接リブ４３、４４は、封止部４２の外側部分上に配置されることを示す。
【０２４１】
ストッパのストッパ部２の第４の部分２２は、ストッパ部２の第３の部分２１の直径と比較すると低減された直径を有するため、隣接リブ４３、４４が配置されたネック部分の高さで封止要素４の封止部４２の内壁に作用する圧力は、封止位置でストッパ部２の第３の部分２１によって作用させられた圧力より小さい。封止要素４は弾性材料から作られ、封止部４２にかかる圧力が低減される結果、封止部４２の伸張が可能になるため、封止部４２のネック部分は、図１１に示す圧縮（封止）位置から後退する。したがって、封止要素４の封止部４２の内壁は、封止要素４の封止部４２のネック部分の高さでストッパ部２の第４の部分２２に接触する。ストッパ部２の第１の部分２３は、封止要素４の封止部４２のうち、ネック部分と封止要素４の封止部４２の端部との間に含まれる部分のレベルで、封止要素４の封止部４２の内壁に接触する。
【０２４２】
上記のように、本発明の好ましい実施形態によれば、ストッパ部２は、第２の部分２４を有し、第２の部分２４の直径は、第１の部分２３の直径より大きい。こうしてストッパ部（２）の第２の部分（２４）の直径がより大きいことで、ボトルの口からストッパ１、１０、１００を引き抜いたとき、開封位置で、封止要素は確実に、ストッパのストッパ部（２）上で保たれる。図１２に表す位置で、封止要素４の封止部４２の端部は、ストッパ部２の第１の部分２３と第２の部分２４との間の接合部に当接することが分かる。
【０２４３】
初期封止動作
本発明の一実施形態による閉鎖システムを使用してボトルがどのように封止されるかについて次に説明する。まず、封止要素４は、ストッパ１、１０、１００のストッパ部２上へ置かれる。好ましくは、封止要素４は、封止要素４の封止部４２の端部がストッパ１、１０、１００のストッパ部２の第１の部分２３と第２の部分２４との間の接合部に当接するように、ストッパ１、１０、１００上に配置される。しかし、封止要素４に対するストッパ１、１０、１００の正確な相対的な位置は、異なってもよい。次いで、封止要素４が配置されたストッパ部２が、ボトルの口の中へ導入され、封止位置に到達する。
【０２４４】
好ましくは、ストッパ部２は、まずストッパをボトルの口の上へ落下させ、次いでストッパを押圧することによって、ボトル上へ導入される。落下中、ストッパが確実に直立の長手方向の位置でボトルの口の中へ着地するように、ストッパは、重力を受けると平衡状態になるように設計される。この平衡状態は、ストッパの他の部分と比較して最適の長さおよび直径を有することにより十分な体積および質量を有するように第２の部分を設計し、ストッパを製造するために使用される材料を考慮することによって実現される。しかし、最適の直径を決定するとき、直径が小さすぎたり大きすぎたりしないことを考慮するべきである。第２の部分は、封止要素が確実にストッパ上で保たれるように、第１の部分と比較してより大きい直径を有するべきであり、それと同時に、ボトル詰めプロセスを邪魔しないのに十分なほど、ボトルの口より小さい直径を有するべきである。ストッパ１、１０、１００のストッパ部２のネック部分２１、２２は、ストッパ１、１０、１００のヘッド部３から離れる方へ長手方向軸に沿って減少する直径を有するため、封止要素４は、ボトルの内壁に対して圧縮され、封止位置に到達する。別法として、または押圧に加えて、ストッパを回転させることができ、したがって、封止要素と相互作用する手段が、ストッパをボトル口の中へ引き下げる。
【０２４５】
開封動作
図１１に表す封止位置から図１２に示す開封位置へ使用者が封止要素をどのように動かすことができるかについて、次に詳細に説明する。本発明の好ましい実施形態によれば、ストッパのヘッド部３上、好ましくはヘッド部３のノッチ３１、３２上に指を置くことによって、使用者は、ストッパの長手方向軸の周りでストッパの回転を作用させることができる。その間、ボトルは堅く保持され、したがってストッパは、ボトルに対して（相対的に）回転する。
【０２４６】
しかし、ストッパは、ボトルに対して（相対的に）回転するだけでなく、封止要素に対しても（相対的に）回転する。ストッパが回転しているとき、ボトルおよび封止要素は定位置のままである（または逆も同様である）。ボトルとは別個であり、ボトルに取り付けられていない封止要素に対するストッパの回転は、封止要素４がボトルの口の内壁にしっかりと接着しているために実現される。具体的には、封止要素４の内壁とストッパ部２との間の接着力は、封止要素４の外壁とボトルの口の内壁との間の接着力より小さい。これは、たとえば、封止要素４の内壁が、ボトルの材料（たとえば、ガラス、プラスチック、セラミック、もしくは木材）上の封止要素４の外壁より、ストッパの材料（たとえば、ガラス、プラスチック、セラミック、もしくは木材）上で低い摩擦係数を有することによって、または２つの隣接リブ４３、４４によって実現される。封止要素４の内壁が封止要素の外壁より低い摩擦係数を有することを実現するために、封止要素を２つの構成要素から作ることができ、または内壁を被覆することができる。
【０２４７】
好ましい実施形態では、ストッパ部２は、ストッパ部２の第３の部分２１および第４の部分２２上を延びる少なくとも１つのねじ山２５を備え、封止要素４は、少なくとも１つの対応するねじ山４５を備える内壁を封止部４２内に備えるため、ストッパ部２のねじ山２５と封止要素４のねじ山４５との間に相互作用を生じさせることができる。この相互作用の効果は、回転が正しい方向に行われることを条件として、ストッパを上方へ移動させ、すなわちストッパ４の長手方向軸に沿ってボトルの口から出る方向へ移動させることである。したがって、ストッパの長手方向軸の周りで回転運動を作用させることによって、使用者は、封止要素を図１１に表す封止位置から図１２に表す開封位置へ動かすことができる。
【０２４８】
本明細書に記載の本発明の様々な実施形態では、ボトル口の直径に対するストッパ１、１０、１００および封止要素４の寸法は、ボトルの内壁に作用する力が、ストッパを軸方向および径方向に保持するのに十分なほど大きくなるように選択される。好ましくは、ボトル口の直径に対するストッパ１、１０、１００および封止要素４の寸法は、ボトルの内壁に作用する力が、あらゆる追加の固定要素、たとえばボトルの輸送中または水平位置での貯蔵中にストッパを固定するためにボトル本体に取り付けられる固定要素を不要にするのに十分なほど強くなるように選択される。さらに、ボトル口の直径に対するストッパ１、１０、１００および封止要素４の寸法は、好ましくは、ボトルの内壁に作用する力が、ストッパを手で回転させることによってストッパをそれでもなお容易に開けることができるような力になるように選択されるべきである。
【０２４９】
上記で概説したように、図１２に表す位置で、封止要素４の端部は、第１の部分２３と第２の部分２４との間の直径の差のため、ストッパ部２の第１の部分２３と第２の部分２４との間の接合部に当接する。ボトルを完全に開けるために、使用者は、長手方向軸に沿ってボトルから離れる方へストッパを引き抜くだけでよい。そうすることによって、ストッパ部２の第２の部分２４が、封止要素４の封止部４２の端部上に、同じ引っ張り方向の力を作用させる。この力により、たとえば２つの隣接リブ４３、４４によって引き起こされるボトルの内壁に対して残っている封止部４２のあらゆる接着を取り除くことが可能になる。したがって、ストッパおよび封止要素４を備えるシステム全体を、ボトルの口から容易に取り外すことができる。
【０２５０】
再封止動作
ボトルを再封止するために、使用者は単に、システムをボトルの口の中へ押し戻して、開ける場合とは反対の方向に回転を作用させるだけでよく、それにより、ストッパ部を再び封止要素４上へねじ込むことが可能になる。こうして開ける場合とは反対の方向に回転させることで、ストッパ部２の第３の部分２１は、封止要素４の封止部４２の内壁に圧力を作用させ、それによって隣接リブ４３、４４に圧力を作用させ、したがってボトルの内壁に対する接着を再び確立する。したがって、使用者は、ストッパ、好ましくはストッパのヘッド部３を単に回転させることによって、封止要素を封止位置に戻すことができる。別法として、一定の力でストッパ部２を封止要素４とともにボトルの口の中へ単に押し込むことによって、ボトルを再び閉じることもできる。
【０２５１】
本発明の第１の形態の他の実施形態
図１３は、本発明の第４の実施形態によるボトル用のストッパ２００の側面図を示す。ストッパ部２の第１の部分２３および第２の部分２４上に、複数のチャネル２６が形成される。これらのチャネル２６は、ストッパ２００の先端部からストッパ２００の長手方向軸に対して平行に延びる。本発明の有利な実施形態によれば、第１の部分２３および第２の部分２４上に４つのチャネル２６が形成され、チャネル２６は、互いから等距離であり、すなわちストッパ２００の長手方向軸の周りで互いから９０°のところに配置される。各チャネルは、好ましくは、ストッパ２００の先端部から第２の部分２４全体および第１の部分２３の大部分の上を延びる長手方向のチャネルである。実際には、本発明の有利な実施形態によれば、チャネル２６は、第１の部分２３と第４の部分２２との間の接合部まで延びないで、第１の部分２３のうち、チャネルが形成されていない部分２３’を残す。したがって、本発明の第１の実施形態、第２の実施形態、および第３の実施形態と同様に、第１の部分２３の部分２３’は、実質的に円筒形の第１の部分２３の直径に等しい直径を有する。発泡性の飲料、たとえば発泡性ワインを含むボトル内では、これらのチャネルにより、飲料ボトル内の内圧を容易に解放することが可能になる。
【０２５２】
図１４は、本発明の第５の実施形態によるボトル用のストッパ３００の側面図を示す。図１４は、長手方向の空胴２７を実線で示し、ストッパ３００内に形成された長手方向の空胴２７を表す。長手方向の空胴２７は、ヘッド部３の上面からストッパ３００内に位置する底部まで、ストッパ３００の長手方向軸に沿って延びる。
【０２５３】
図１５は、本発明の第４の実施形態または第５の実施形態によるボトル用のストッパ２００、３００の側面図を示し、本発明の一実施形態による封止要素４は、ストッパ２００、３００のストッパ部２上に配置される。封止要素４は、使用者によって封止位置から開封位置へ動かされるプロセス中の中間位置に示されている。
【０２５４】
図１６は、封止要素を開封位置へ動かすプロセスの後の段階における図１５に表すストッパ２００、３００の側面図を示す。図１６は、第１の部分２３のうちチャネル２６が延びない部分２３’と封止要素４の内面との間に形成された開口を通って通路が存在するため、チャネル２６により、この位置でボトルの内側と外気との間の連通が可能になることを示す。この実施形態は、飲料ボトルがボトル内で比較的高い内圧を有する発泡性ワインを含む応用例にとって特に有利である。この内圧は、シャンパンワインの場合、たとえば正常の温度条件で、５〜７バールもの高さとなり、またはさらにより高温の場合は、より高くなることがある。この実施形態により、チャネル２６を通路として使用して、圧力を外気内へ解放することが可能になる。ボトルを開ける速度に応じて、ボトル内の内圧は、多少ゆっくりと解放される。ボトルがゆっくりと開けられる場合、第１の部分２３の部分２３’と封止要素４の内面との間の通路はゆっくりと作られ、その結果、圧力の解放はゆっくりと行われる。他方では、ボトルが使用者によって迅速に開けられる場合、第１の部分２３の部分２３’と封止要素４の内面との間に比較的大きい通路が作られ、したがって内圧が排出され、それによって特徴的な「ポン」という音がする。
【０２５５】
本発明の第２の形態
本発明の第２の形態について、図１７〜２３を参照しながらより詳細に次に説明する。
【０２５６】
ストッパ
図１７ａおよび図１７ｂは、本発明の第６の実施形態によるボトル用のストッパ４１０の横断面側面図を示す。ストッパ４１０は、ボトルの口の中へ導入されるストッパ部４１２と、ネック部分を介してストッパ部４１２に接合されるヘッド部４１３とを備える。図１７ａおよび図１７ｂから明らかなように、ストッパ部４１２は、ストッパ４１０長手方向軸に沿ってネック部分の後、第１の部分４１４および第２の部分４１５を備え、第１の部分４１４は、ストッパ４１０の長手方向軸に沿って第２の部分４１５の上に位置する。第１の部分４１４は、実質的に円筒形の形状を有し、第２の部分４１５は、第１の部分４１４の直径より大きい直径を有する。
【０２５７】
ストッパ４１０のヘッド部４１３およびネック部分は、本発明の第１の形態に関して上述したように画定することができる。ストッパの寸法およびヘッド部の形状は、本発明の第１の形態に関して上述したものに類似のものとすることができる。同様に、ストッパ部は、たとえば、第１の形態に関して説明したように、１つのねじ山４１６、または互いに対して平行に延びる複数のねじ山４１６の形の連動機構を備えることができ、ねじ山４１６は、ストッパ部４１２の全周より短い距離、好ましくはストッパ部４１２の円周の２分の１だけ延びることができる。
【０２５８】
好ましい実施形態では、図１７ａおよび図１７ｂから分かるように、ストッパ部４１２上の点の任意の２つの横断面の直径の差は、３０％以下である。同様に、第１の部分４１４の直径は、ストッパ部４１２の第２の部分４１５の直径の７０％以上である。さらに、ストッパ部の第１の部分４１４の直径は、ストッパ部４１４のねじ山４１６の直径の６０％以上である。比較的均一の直径を有するストッパ部を提供する利点については、すでに説明した。
【０２５９】
図１７ａに見られる本発明の第６の実施形態では、１つまたは複数のねじ山は、ストッパの長手方向上に形成された２つの平坦な表面４１７によって途切れており、それによってねじ切りは２つの部分に破断される。この破断は、あらゆる見切り線がねじ切り上ではなく平面の表面上に形成されるように設計される。当業者には知られているように、見切り線は、２つの別個の型を使用するため、押し型ガラスの製造プロセス中に形成されることがある。１つまたは複数のねじ山上にこれらの見切り線が形成されると、回転中に望ましくない追加の摩擦を引き起こすことがある。したがって、見切り線が形成される平らな表面を提供することで、ねじ山に見切り線が生じないようにし、したがって望ましくない摩擦を回避する。
【０２６０】
図２に提供する実施形態と同様に、図２０に表す本実施形態のストッパ４１０は、１対のノッチ４１３ａ、４１３ｂを備える。これらのノッチは、ヘッド部４１３の側面上で直径方向に対向する位置に形成される。ノッチは、指によるヘッド部の保持を容易にして回転を可能にするために設けられる。本発明の第６の実施形態では、ヘッド部の設計は円形であるが、前述の構成とは異なり、複数の側面を有する多角形など、他の形状および寸法を含むこともできる。多角形の形状のヘッド部を有する利点は、保持グリップを提供するために追加のノッチを必要しないことである。
【０２６１】
ヘッド部はまた、図１７ｂに見られるように、貯蔵空胴４１７を備えることができる。この貯蔵空胴４１７は、情報資料を有するシートなどの材料またはたとえば物体を販売するために使用される任意の他の物品を保持することが可能になるように設計される。シートは、紙から作ることができるが、好ましくは、折り畳んだりもみくちゃにしたりするなどの材料の変形を許容するようにポリマーから作られる。ヘッド部の頂部上に設けられる空胴は、多角形の横断面を有し、好ましくは正方形または他の長方形である。貯蔵空胴４１７の深さは、空胴の所与の横断面に対して空胴の体積が最大になるように設計される。一実施形態では、貯蔵空胴４１７の深さは、ヘッド部の高さの少なくとも５０％である。別の実施形態では、貯蔵空胴の深さは、ヘッド部の高さの少なくとも６０％である。さらに別の実施形態では、貯蔵空胴の深さは、ヘッド部の高さの少なくとも７０％である。これらの深さは、最大の貯蔵体積を有する貯蔵空胴を提供することと、空胴がより深いためにストッパ上の材料の体積がより小さいことでヘッド部上の角が不安定になるのを回避することとの間で適切な均衡が得られるように選択される。
【０２６２】
空胴の体積を最大にするために、頂部から見たときの空胴の横断面の対角線の長さは、ヘッド部の上面の対角線の長さの少なくとも７０％である。この貯蔵空胴は、少なくとも高さ５ｍｍおよび長さ１０ｍｍを有する前述のように折り畳まれた紙などの物体を収容するのに十分な大きさである。好ましくは、貯蔵空胴は、高さ７ｍｍおよび長さ１５ｍｍを有する物体を貯蔵するのに十分な大きさである。
【０２６３】
ヘッド部上に形成された正方形の貯蔵空胴４１７の寸法は、たとえば、高さ（深さ）７．７ｍｍおよび幅１７．３ｍｍである。正方形の空胴部分を有する利点は、空間を効率的に利用して折り畳まれたシートを保持するような形状であるとともに、接着剤のための十分な非空胴領域をヘッド部の表面上に提供し、したがってカバーとヘッド部とのより良好な保持を提供することである。
【０２６４】
好ましくは、空胴は、空胴内に配置された材料を保持するために、カバー４６０によって頂部上で覆われる。このカバーは、円形もしくは空胴を覆うための他の好ましい形状を有するミュズレなどのコインの形とすることができ、またはいたずら防止要素４５０の形とすることができる。このカバーを収容するために、ヘッド部の上面は、上面上でカバーを移動させることなく保持することができるような寸法を有する凹部を備える。また、この凹部により、カバーが配置されたとき、ヘッド部の上面上に同一平面の仕上げが提供される。カバーは、接着剤によってヘッド部上で保持される。
【０２６５】
当業者には理解されるように、上記の貯蔵空胴を有するストッパは、上記の閉鎖システムだけではなく、そのような任意の閉鎖システムで実施することができ、ストッパ部は、封止要素の相手側連動機構に係合する連動機構を備え、連動機構は、ボトルに対してストッパを回転させることを含む開封動作によって封止要素を開封位置へ動かすことを可能にするように構成される。たとえば、空胴は、有利には、欧州特許第１４５６０９２号に記載の従来技術のストッパと組み合わせて使用することができる。
【０２６６】
本実施形態のストッパ４１０はまた、ヘッド部上の空胴の代わりに、またはヘッド部上の空胴に加えて、図３および図４の第１の実施形態および第２の実施形態に提供した空胴に類似しているストッパ４１２内へ長手方向に延びる空胴を含むことができる。図２１〜２３に示すこの長手方向の空胴４１７ｂは、ストッパの先端部で開口する。この長手方向の空胴４１７ｂは、長手方向の空胴の直径より大きい直径を有するフィルタ空胴４１７ａに対して頂部で開口する。
【０２６７】
フィルタ空胴４１７ａは、液体不透過性と通気性の両方を一定程度有する材料から作られたフィルタを収容するために使用される。そのようなフィルタは、１つの可能な材料のみを挙げれば、たとえば、Ｄｏｗ  Ｃｈｅｍｉｃａｌｓ製のＳａｒａｎｅｘ（商標）という材料から製造することができる。このフィルタは、長手方向の空胴２７の底部で開口２８に直接接触して空気を通さないように配置され、それによって、ワインボトル内へ貫入することができる酸素の量を制御することが可能になる。そうすることによって、ワインの熟成プロセスを制御することができる。
【０２６８】
好ましい実施形態では、図１７ｂに見られるように、所与の横断面における長手方向の空胴４１７ｂの直径は、ストッパ部の直径の３０％以下である。これは、空気がフィルタおよび熟成度測定に到達するためのわずかな開口を提供するためである。開口が大きすぎると、多くの空気が提供されすぎることがあり、また中空の空胴のためにストッパが弱くなることもある。
【０２６９】
当業者には理解されるように、上記の長手方向の空胴およびフィルタ空胴を有するストッパは、上記の閉鎖システムだけではなく、そのような任意の閉鎖システムで実施することができ、ストッパ部は、封止要素の相手側連動機構に係合する連動機構を備え、連動機構は、ボトルに対してストッパを回転させることを含む開封動作によって封止要素を開封位置へ動かすことを可能にするように構成される。たとえば、空胴は、有利には、欧州特許第１４５６０９２号に記載の従来技術のストッパと組み合わせて使用することができる。
【０２７０】
空胴に加えて、図４の第２の実施形態に記載の開口に類似の開口をストッパ４１０に設けることもできる。上記に加えて、当業者であれば、図１３に示す第４の実施形態で提供した説明によって、本実施形態のストッパ上にチャネルを設けることもできる。
【０２７１】
図２０に示す本発明の第６の実施形態によって、ボトル、好ましくはワインボトルのような飲料ボトル用のストッパを封止する封止要素４４０について説明する。封止要素４４０は、ボトルとは別個であり、すなわちボトルの一部を形成するものではなく、またボトルに取り付けられるものでもない。
【０２７２】
封止要素
本発明の第６の実施形態によれば、封止要素は、少なくとも２つの異なる構成要素を備える。図２０に関して表す例示的な実施形態では、封止要素４４０は、第１の構成要素４３０および第２の構成要素４２０から作られる。異なる構成要素を提供する利点は、各構成要素が異なる仕様に適合することができることである。異なる機能を実行するように特別に設計された異なる構成要素を有することが可能であり、それによって単一の構成要素を数多く有することの制限が克服される。たとえば、２つの構成要素は、異なる摩擦係数を有する異なる材料から作ることができる。さらに、これらの構成要素は、必要に応じて、ストッパまたはボトルの口の異なる部分と連携するように設計することができる。第６の実施形態では、ストッパ部４１２と連携して封止要素４４０の連動手段４３５を保持する封止要素の第１の構成要素４３０は、比較的低い摩擦係数を有する比較的硬質のプラスチックのような材料から設計され、したがって、後に説明するように、ストッパ部４１２上の連動手段４１６にうまく係合し、封止および開封動作中のストッパのより容易な移動を促進する。他方では、ボトルの口の内壁に接触して封止機能を実行する第２の構成要素４２０は、比較的高い摩擦係数を有し、比較的可撓性である。
【０２７３】
第６の実施形態では、後述するように、第１の構成要素が少なくとも部分的に第２の構成要素内に位置するため、第２の形態のこの実施形態では、封止要素の第１の構成要素を「内側構成要素」と呼び、封止要素の第２の構成要素を「外側構成要素」と呼ぶ。しかし、他の構成も可能であり、第２の構成要素は、たとえば、第１の構成要素の上に位置し、封止は、第１の構成要素が上へ移動し、それによって第２の構成要素をストッパの長手方向に圧縮し、したがってボトルの口の内壁に対して第２の構成要素を押圧することによって実行される。
【０２７４】
封止要素の外側構成要素
図１８は、封止要素の外側構成要素４２０を示す。この外側構成要素４２０は、封止要素の内側構成要素を有するストッパ４１０のストッパ部４１２を外側構成要素４２０の中へ導入することができるように形成される。外側構成要素４２０は、封止位置でストッパ４１０のストッパ部４１２をボトルの口の内壁に対して封止する封止部４２２を備える。この封止部４２２は、実質的にリングまたは管の形状を有することができる。
【０２７５】
封止要素の外側構成要素４２０は、好ましくは、封止部４２２に接合される上部４２１をさらに備える。上部４２１は、封止位置でボトルの口に対するヘッド部４１３の封止を提供する。上部４２１は、外側構成要素４２０の封止部４２２に実質的に直交して延びる。これにより、ボトルの口を特にしっかりと確実に封止することが可能になる。さらに、この実施形態では、ストッパのヘッド部４１３は、ボトルの口の頂部に直接接触しておらず、ストッパが何らかの力によってボトルの口の中へ導入されるときにストッパまたはボトルが破損または損傷するのを防止する。最後に、この実施形態はまた、ストッパが口の中へ導入されるときに封止要素４４０がボトルの口の中へ（より深く）滑り込むのを防止するのに役立ち、輸送中の損傷を防止する。しかし、上部４２１は、ヘッド部の下面とボトルの口の上面との間に径方向の摩擦力を作用させる。封止要素とガラスボトルとの間の摩擦力と比較したとき、ヘッド部と封止要素との間の径方向の摩擦力がより強い結果、封止要素がストッパとともに回転し、それによってボトル内で封止要素がスピンする。そのようにボトル内で封止要素がスピンすることで、回転によってボトルを開けることが困難になる。こうして上面上で摩擦力が強くなるのを回避するために、ストッパのヘッド部と封止要素の上部の上面との間の回転摩擦を低減させる手段が設けられる。好ましい実施形態では、ストッパのヘッド部と封止要素の上部の上面との間の回転摩擦を低減させるこの手段は、封止要素の上部の上面上に設けられた縁４２７である。この縁４２７は、連続する円として形成され、それによってヘッド部との接触面積が低減され、それによってストッパのヘッド部と封止要素の上部との間の回転摩擦が低減される。
【０２７６】
封止要素の外側構成要素４２０は、プラスチックまたはゴムなどの比較的可撓性の材料から作られる。好ましくは、可撓性材料を有する形状記憶材料を選択することができ、封止位置における外側構成要素４２０の少なくとも一部（たとえば、封止部４２２）の変形および開封位置における外側構成要素の少なくとも一部（たとえば、封止部４２２）の伸張を可能にし、したがって、封止要素を開封位置へ動かしたとき、外側構成要素が元の形状、すなわち圧縮前の形状に跳ね返るようにする。
【０２７７】
本発明のこの実施形態による封止要素４４０の外側構成要素４２０は、その頂端部と底端部の両方に開口を有する実質的に円筒形の形状のリングを有する。封止要素の底部上の開口は、封止要素の頂部上の開口の直径に実質的に同一の直径を有する。多くても、封止要素の底部内の開口の直径は、図１８に見られる横断面に示すように、封止要素の頂部上の開口の直径から２０％変動する。後述するように、頂端部と比較すると底端部上の直径が幾分大きいことで、封止要素の内側構成要素が封止位置を実現することを容易にすることができる。封止要素４の各端部上に設けられた円形の開口により、封止要素の内側構成要素４３０およびストッパのストッパ部はそれらの開口を通過することが可能になる。
【０２７８】
外側構成要素の寸法は、ストッパの寸法に対する封止要素の全体的な寸法の設計に寄与する。概して、上記で論じた理由のため、ストッパ部より比較的小さい寸法を有する外側構成要素を備える封止要素を提供することが有利である。
【０２７９】
好ましい実施形態では、封止要素のより小さい外側構成要素は、図２０に示す実施形態に見られるように、外側構成要素がストッパ部の長さの実質的に２分の１以下の長さを有することによって実現される。
【０２８０】
外側構成要素４２０の直径に対する封止要素の外側構成要素４２０の長さを考慮するとき、図１８に示す実施形態では、封止要素の長さが封止要素の外径以下であることが分かる。これらの図から当業者には理解されるように、封止要素４４０の外側構成要素４２０の外径は、ボトルの口の内径と実質的に同じである。したがって、封止要素の外側構成要素の長さを封止要素の外径の１２０％以下にする結果、封止要素の長さもまた、ストッパと比較するとより小さくなる。
【０２８１】
封止要素４４０の外側構成要素４２０は、好ましくは、封止部４２２の外側部分内に形成されたリブを備える。本発明の第６の実施形態では、３つの隣接リブ４２３、４２４、４２５が設けられる。隣接リブ４２３、４２４、４２５は、ボトルの口の内壁に押圧することができるように形成、寸法設定、および配置される。
【０２８２】
ボトルの口の内壁に押圧されたとき、封止部上のリブと口の内壁との間の１つまたは複数の領域内に負圧または吸引力が形成される。これにより、ボトルの内壁上で封止要素の特にしっかりとした確実な接着が得られ、ボトルの特にしっかりとした確実な封止が確保される。好ましくは、これらのリブは、図１８に見られるように、実質上鋸歯状の横断面を有する。これにより、ボトルの口の中へのより小さい入り口直径が提供され、それによってボトル内へのより容易な挿入が可能になる。
【０２８３】
好ましくは、封止要素の外側構成要素４２０の内壁は封止領域４２６を有し、封止領域４２６は、本発明では、好ましくは少なくとも１つの溝である。この溝は、内壁の円周全体に沿って進んでリップ４２６を形成し、ストッパ４１０のネック部分を収容して外側構成要素４２０とストッパ４１０との間にさらなる封止を提供することができるように位置決めされる。この封止領域は、好ましくは、封止要素の第２の構成要素４２０の上側に配置される。
【０２８４】
封止要素の内側構成要素
封止要素の内側構成要素４３０は、図１９に示されている（図１８の外側構成要素より大きい縮尺で示す）。内側構成要素４３０は、封止要素４４０の連動手段４３５を保持しており、ボトルの口の内壁に対して封止要素の外側構成要素４２０を拡大させるために使用される拡大要素を含む。
【０２８５】
第６の実施形態による内側構成要素４３０の拡大要素は、実質的に円筒形の形状のナットであり、封止要素４４０の外側構成要素４２０とストッパ部４１２との間に少なくとも部分的に導入することができるように形成される。
【０２８６】
封止要素４３０の内側構成要素は、好ましくは、プラスチック、木材、ガラス、または他のそのような材料など、低い弾性を有する硬質の堅い材料から作られる。原則的に、封止位置で低い圧縮を受け、好ましくは封止中および封止後も元の形状のままである任意の堅い材料を選択することができる。
【０２８７】
内側構成要素４３０の内壁は、１つのねじ山、または互いに対して平行に延びるいくつか（好ましくは、２つ）のねじ山４３５の形の連動機構を備える。内側構成要素４３０の内壁上に配置された１つまたは複数のねじ山４３５は、ストッパ部４１０の１つまたは複数のねじ山４１６に対応するように形成および寸法設定される。内側構成要素４３０および対応するストッパ部４１２上のねじ山は、ねじ山間の間隔が連動するのにちょうど十分になるように作られるべきであり、それによってねじ山間の低い公差が確保される。好ましくは、内側構成要素４３０のねじ山の上端部上にロッキング手段が設けられ、それによって確実に、内側構成要素のねじがストッパのねじ山から完全に抜き取られないようにする。
【０２８８】
好ましくは、内側構成要素４３０の外面は、２つの部分、すなわち上部部分４３１および下部部分４３２に分割される。上部部分４３１の外面は、頂部から底部の方へ増大する直径を有し、それによって拡大要素を形成する。図１９に見ることができるように、封止要素４４０の内側構成要素４３０の上部部分４３１の横断面は、円錐形の形状を有する。
【０２８９】
好ましくは、上部部分４３１は、内側構成要素４３０の円周に沿って突起４３３によって下部部分４３２から分離される。この突起４３３は、下部部分４３２の上端部を形成する。したがって、下部部分４３２と上部部分４３１との間の境界領域内で、下部部分４３２は、上部部分４３１より比較的大きい直径を有する。突起４３３は、内側構成要素４３０が外側構成要素４２０とストッパ部４１２との間に導入されるとき、突起４３３によって外側構成要素４２０が確実に内側構成要素４３０上に保持されてボトル内へ滑り落ちないようにするように設けられる。
【０２９０】
上部部分の外面は、好ましくは、内側構成要素と外側構成要素との間に追加の摩擦力を提供するための把持手段４３６を含む。その目的については、本説明内で後に説明する。
【０２９１】
好ましくは、内側構成要素の下部部分４３２は、部分的に螺旋状の巻き線を有する２つの円形のフランジによって形成されたばね４３７を備える。これらのばねは、ストッパの第２の部分より小さい内径を有し、それによって確実に、内側構成要素がストッパ部４１２から落ちないようにする。またこれによって確実に、ストッパが力でねじ込まれるときでも、内側構成要素に作用する力をばねが抑えるため、ストッパ上の連動機構および内側構成要素に影響を与えないようにする。ばねがストッパの第２の部分４１５に接触したとき、ばねは内側構成要素を上方方向に押し、それによって確実に、内側構成要素が再びストッパの連動機構へねじ込まれるようにする。ばね４３７は、内側構成要素がストッパ上へ組み立てられると破断する破断点手段４３８によって下部部分４３２に接続される。第１の構成要素の下部部分４３２の下端部は先細りし、それによって確実に、ストッパおよび封止要素を有する組み立てられたシステムをボトルの口の中へ容易に導入することを可能にする。
【０２９２】
封止位置
図２１は、ボトルの口の中の封止位置における本発明の第６の実施形態によるストッパ４１０、封止要素の外側構成要素４２０、および封止要素の内側構成要素４３０の断面図である。この位置で、封止要素の内側構成要素４３０は、ボトルの口の内壁に外側構成要素を押圧する程度まで、部分的に封止要素の外側構成要素４２０内に位置する。具体的には、図２１に見られるように、内側構成要素４３０の上部部分４３１は、封止要素４４０の外側構成要素４２０の封止部４２２をボトルの口の内壁に押圧する。前述のように、拡大要素を形成する上部部分４３１は、増大する直径を有し、それによって円錐形の形状を形成する。円錐形の形状の拡大要素を収容するために、外側構成要素はまた、円錐形の内側形状を有する。これは、封止位置を実現するために、ボトルの口に対して外側構成要素を均一に拡大させるように設けられる。また、外側構成要素の円錐形の内側形状により、内側構成要素を外側構成要素内へ入れることが容易になる。
【０２９３】
押圧力は、ボトルの口の内径に対して内側構成要素４３０の少なくとも一部（たとえば、上部部分４３１）および封止要素４２０の少なくとも一部（たとえば、封止部４２２）の寸法を適当に選択することによって実現される。たとえば、封止要素４４０の外側構成要素４２０（の一部）の厚さは、ボトルの口の内壁の半径と内側構成要素４３０（の一部）の半径との間の差より大きくなるように選択される。その結果、封止要素の外側構成要素４２０の少なくとも一部は、封止位置で圧縮される。
【０２９４】
本明細書に記載の本発明の様々な実施形態では、ボトル口の直径に対するストッパ部４１２、内側構成要素４３０、および封止部４２２の寸法は、ボトルの内壁に作用する力が、封止位置でストッパを軸方向および径方向に保持するのに十分なほど大きくなるように選択される。好ましくは、ボトル口の直径に対するストッパ、内側構成要素４３０、および封止部の寸法は、ボトルの内壁に作用する力が、あらゆる追加の固定要素、たとえばボトルの輸送中または水平位置での貯蔵中にストッパを固定するためにボトル本体に取り付けられる固定要素を不要にするのに十分なほど強くなるように選択される。
【０２９５】
前述のように、内側構成要素４３０の上部部分４３１は、増大する直径を有しており、ボトルの口の内壁に封止部４２２を押圧する。外側構成要素４２０の封止部４２２上に配置された隣接リブ４２３、４２４、および４２５は、内側構成要素４３０の上部部分４３１によってボトルの内壁に押し付けられる。外側構成要素４２０の形状記憶可能な可撓性材料によって確実に、リブは、元の形状に戻る傾向を有するようになり、それによって封止部とボトルの口の内壁との間の１つまたは複数の領域内で負圧または吸引力を蓄積する。この負圧または吸引力により、封止要素４２０とボトルの口の内壁との特にしっかりとした確実な接着が確保される。さらに、本発明の第６の実施形態によれば、封止要素４２０の外側構成要素の内壁上のリップ４２６は、好ましくは、ストッパ４１０のネック部分に係合して、さらなる封止を提供する。
【０２９６】
図２１に示すように、封止位置で封止部は、ストッパの上端部上に位置する。すなわち、封止部４２２は、ストッパ部の上部６０％の高さに位置する。別の実施形態では、封止部４２は、ストッパ部の上部５０％の高さに位置する。さらに別の実施形態では、封止部４２２は、ストッパの上部３０％の高さに位置する。
【０２９７】
ストッパの上端部上に封止部４２２を設けることは、上記で論じた理由のために有利である。
【０２９８】
開封位置
図２３は、ボトルを開けるプロセス中の開封位置における本発明の第６の実施形態によるストッパ４１０、内側構成要素４３０、および外側構成要素４２０を示す断面図である。図２３に見ることができるように、内側構成要素４３０の上部部分４３１の下部は、封止要素の外側構成要素４２０の封止部４２２をボトルの口の内壁の方へ押圧しない。さらに、ストッパ部４１２上のねじ山４１６は、内側構成要素４３０の対応するねじ山４３５とともに完全にねじ込まれるわけではない。したがって、ストッパ４１０は、封止要素の内側構成要素および外側構成要素ならびにボトルの口から突出する。
【０２９９】
内側構成要素４３０の上部部分４３１の上部は、上部部分４３１の下部の直径と比較すると低減された直径を有するため、隣接リブ４２３、４２４、および４２５を有する封止部４２２に作用する圧力は、封止位置で内側構成要素４３０の上部部分４３１の下部によって作用させられた圧力より小さい。外側構成要素４２０にかかる圧力が低減される結果、封止部４２２は、図２１に示す圧縮（封止）位置から図２３に示す開封位置へ後退する。
【０３００】
内側構成要素４３０の上部部分４３１の一部は、外側構成要素４２０の封止部４２２の下に位置するが、封止部にはほとんどいかなる圧力も作用していない。これは、封止部４２２が内側構成要素４３０に完全に接触しているわけではないからである（すなわち、封止部４２２の上端部は、内側構成要素に接触しておらず、内側構成要素４３０の上部部分４３１の下端部は、封止要素に接触していない）。
【０３０１】
前述のように、ストッパ部４１２は、第１の部分４１４の下に第２の部分４１５を有し、第２の部分４１５の直径は、ストッパ部４１２の直径より大きい。こうして第２の部分４１５の直径がより大きいことで、ボトルの口からストッパ４１０を引き抜いたとき、封止要素４４０の外側構成要素４２０および内側構成要素４３０は確実に、ストッパ部４１２上で保たれる。図２３に見られるように、内側構成要素４３０の下部部分は、第１の区間４１４と第２の区間４１５との間の接合部に当接する。
【０３０２】
開封動作
図２１に示す封止位置から図２３に示す開封位置へ使用者が封止要素をどのように動かすことができるかについて、次に詳細に説明する。本明細書に記載の「開封動作」は、収縮包装などの外部包装またはストッパ上に配置された外側カバーを取り外すことを含まない。開封動作は、本発明によってボトルの口からストッパを取り外すために必要な工程のみを含む。本実施形態によれば、開封動作は、ボトルに対してストッパを回転させてストッパのねじを緩めることから始まる。使用者は、ストッパ４１０のヘッド部４１３上、好ましくはヘッド部４１３のノッチ４１３ａ、４１３ｂ上に指を配置し、ストッパの長手方向軸の周りでストッパに回転力を作用させる。その際、ストッパだけが回転し、ボトルが回転しないように、ボトルは使用者によって堅く保持される。
【０３０３】
封止位置で、外側構成要素４２０の封止部４２２は、ボトルの壁に押圧され、それによって高い摩擦力が生じる。したがって、封止要素の外側構成要素４２０は定位置に残り、ストッパ部４１２はボトルに対して回転する。また、内側構成要素４３０の上部部分４３１の外面上には、回転方向に摩擦を提供する把持手段４３６が設けられ、したがって封止要素の外側構成要素がストッパの回転中に内側構成要素を回転方向に保持するため、封止要素の内側構成要素４３０も定位置に残る。
【０３０４】
封止要素の外側構成要素４２０は、内側構成要素４３０の材料より高い摩擦係数を有する材料から作られる。また、封止部４２２によってボトルの口の内壁に対して作用される摩擦力は、その外面の設計によって管理される。特に、封止部４２２上に設けられる隣接リブ４２３、４２４、および４２５は、圧縮されると、ボトルの口の内壁に対して負圧または吸引力を提供する。
【０３０５】
ストッパ部４１２上のねじ山４１６は、内側構成要素４３０の内壁上の対応するねじ山４３５と相互作用する。この相互作用には、ストッパ部のねじを緩めて、ボトルの口および封止要素４４０頂部から離れる方へ上に移動させる効果があり、封止要素４４０は、高い摩擦力および把持力のために封止位置で保たれる。こうして口の頂部および封止要素４４０から離れる方へストッパが移動することで、図２２に見ることができるように、ストッパのヘッド部４１３とボトルの口および封止要素４４０との間に空間が導入される。
【０３０６】
内側構成要素および外側構成要素から離れる方へストッパのねじを緩めることには、ストッパのネック部分が封止要素の外側構成要素のリップ４２６にそれ以上接触しなくなり、それによって封止要素４４０の外側構成要素４３０とボトルの口の内壁との間の摩擦力または接着力をすでにわずかに解放する効果がある。しかし、この摩擦力または接着力は、ボトルの口の中で封止要素４４０（および間接的にはねじ山４１６、４３５を通じてストッパ）を堅く保持するのに十分なほど依然として強い。したがって、図２２では、封止要素はやはり、少なくとも部分的に封止位置にある。
【０３０７】
本発明の本実施形態によれば、上記のようにストッパ４１０のねじを緩めた後、使用者は、ストッパをボトルの口の中へ押し戻す。ストッパ部４１２および封止要素の内側構成要素４３０上に設けられたねじ山により、連動する保持が提供されるため、ストッパ上に与えられる押す力の程度は、内側構成要素４３０上へ伝達され、それによって内側構成要素４３０を類似の程度だけボトルの口の中へ押し込む。
【０３０８】
封止要素の内側構成要素４３０はボトルの口の中へ押し込まれるが、外側構成要素４２０は固定されたままである。したがって、内側構成要素４３０は、部分的に封止要素の外側構成要素４２０から出て、したがって押された後、内側構成要素の上部部分の上部のみが、ボトルの口に封止部４２２を押圧する。この結果、内側構成要素４３０が封止部４２２に加える圧力がより小さくなり、したがって封止部４２２によってボトルの口の内壁に加えられる摩擦力または接着力が低減される。圧力の解放は、前述のように押された後に封止要素の外側構成要素内に残る内側構成要素の上部部分の上部が、下部より小さい直径を有することによって、さらに増大される。これにはすべて、押した結果、図２２に表す少なくとも部分的な封止位置から図２３に表す開封位置へ封止要素を動かす効果がある。
【０３０９】
したがって、ストッパのねじを緩め、続いてストッパをボトル内へ押し込むことによって、使用者は、図２１に表す封止位置から図２３に表す開封位置へ封止要素を動かすことができる。
【０３１０】
上記で概説したように、図２３に表す位置で、封止要素の端部は、封止要素４４０のばね４３７とストッパ部４１２の第２の部分４１５との間の直径の差のため、ストッパ部４１２の第１の部分４１４と第２の部分４１５との間の接合部に当接する。ボトルを完全に開けるために、使用者は、開封後にボトルからストッパを引き抜くだけでよい。この引き抜く力により、たとえば隣接リブ引き起こされるボトルの内壁に対して残っている封止部のあらゆる接着を取り除くことが可能になる。したがって、ストッパ４１０および封止要素４４０を備えるシステム全体を、ボトルの口から容易に取り外すことができる。
【０３１１】
外側構成要素４２０が封止部４２２のみを含む場合、上部４２１がないため、ストッパ上で行われる垂直移動により、外側構成要素をさらにボトルの口の中へ押し込むことができる。しかし、内側構成要素４３０と外側構成要素４２０との間の摩擦力と比較すると、封止部４２２とボトルの口との間の摩擦力がより高いため、外側構成要素は内側構成要素と同じ程度には移動しない。したがって、圧力の解放はより小さくなることがあり、ボトルの口と外側構成要素４２０との間にある程度の摩擦力がそれでもなお残っていることがある。そのような場合、次いで、ガラスのストッパ４１０を一定程度外へ抜き出して、再度ボトルの口の中へ押し込む。こうしてストッパ４１０を抜き出して押し込む動作を繰り返すことで、リブとボトルの内壁との間の負圧が解放され、したがって摩擦力が低減され、ボトルからストッパを取り外すことが可能になる。
【０３１２】
再封止動作
ボトルを再封止するために、使用者は単に、ストッパ４１０を封止要素４４０とともにボトルの口の中へ押し戻し、その後、封止要素（４４０）がボトルの口の中に入り、外側構成要素の上部４２１がボトルの口に接触する。次いで、使用者は、開ける場合とは反対の方向にストッパを回転させる。封止要素の内側構成要素４３０上のばね４３７は、内側構成要素４３０を押し上げ、それによって、係合が失われていた場合、内側構成要素４３０のねじ山４３５とストッパ部４１２のねじ山４１６との係合を可能にする。この回転により、ストッパ部４１２を内側構成要素４３０のねじ山４３５上へ再びねじ込むことが可能になる。第６の実施形態によれば、この回転により、内側構成要素４３０はストッパのヘッド部４１３の方へ上に移動し、それによって外側構成要素４２０内をストッパ部４１２に沿って移動する。外側構成要素内へ再導入されるとき、内側構成要素４３０の上部部分の直径が増大している結果、封止部が再びボトルの口の壁に押圧される。内側構成要素４３０上の突起４３３により、外側構成要素４２０は確実に、内側構成要素の頂部上に留まり、頂部を越えて摺動しない。
【０３１３】
本発明の閉鎖システム向けのいたずら防止要素
本発明の別の実施形態では、本発明の閉鎖システム向けのいたずら防止要素が提供される。システムが完全に組み立てられた状態であるとき、このいたずら防止要素により、使用者は、ストッパが封止要素に対して軸方向および／または径方向に移動されているかどうかを発見することが可能になる。すなわち、いたずら防止要素により、使用者は、ストッパが封止要素に対して回転され、それによって好ましい実施形態ではストッパが封止要素に対して上方へも移動しているかどうか、またはストッパが封止要素から離れる方へ引っ張られているかどうかを発見することが可能になる。いたずら防止要素は、一方ではストッパに接続され、他方では封止要素に接続され、したがって、ストッパが完全に組み立てられた状態から封止要素に対して移動させられた場合、いたずら防止要素は破断する。
【０３１４】
いたずら防止要素とストッパとの間のこの接続は、径方向および／または軸方向の連動接続または摩擦接続または接着接続の１つまたは組合せによって得ることができる。同様に、いたずら防止要素と封止要素との間の接続も、径方向および／または軸方向の連動接続または摩擦接続または接着接続の１つまたは組合せによって得ることができる。
【０３１５】
両方の接続に対して複数のタイプの接続が提供され、それによって、１つのタイプが接続に障害が生じた場合でもその機能を実行する絶対に間違いのないいたずら防止要素が提供される。さらに、異なるタイプの接続が可能であるため、より簡単で安価なタイプの接続をいたずら防止要素に利用して、ボトル詰めのコストを低減させることができる。
【０３１６】
図２４ａ〜２４ｅは、いたずら防止要素の好ましい実装形態によるいたずら防止要素を示す。
【０３１７】
いたずら防止要素４５０は、図２４ａ〜２４ｅに示すように、リング４５１を備える。好ましい実施形態では、リングは円形である。しかし、当業者には理解できるように、リングは、多角形または六角形などの他の形状で実施することもできる。
【０３１８】
リングが円形のリングである好ましい実施形態では、リング４５１の内径は、封止要素４４０の外径より大きい。この内径は、後に説明するように、封止要素の封止部がリングに貫入することが可能になるように提供される。同様に、リングの外径は、ストッパの外径以下である。この外径は、ストッパ部がいたずら防止要素のリング４５１を通って導入されるときにいたずら防止要素のリングがストッパのヘッド部の下に留まるように提供される。これにより、少なくとも軸方向の連動接続および径方向の摩擦接続が形成される。
【０３１９】
いたずら防止要素４５０は、リングの外側に接続されてリングの外側へ延びる１つまたは複数のストリップ４５２をさらに備える。好ましい実施形態では、いたずら防止要素４５０は、２つのストリップ４５２ａおよび４５２ｂを備える。ストリップは、ストッパのヘッド部に接続することができるような長さを有する。
【０３２０】
図２５ａは、封止要素に接続されたいたずら防止要素４５０を示す。いたずら防止要素のリング４５１は、ストッパのストッパ部上で封止要素の上部の下に位置する。リングの直径は封止要素の上部より小さいため、封止要素がリング４５１を通って配置されるとき、いたずら防止要素４５０は封止要素４４０に相互接続されたまま留まる。これにより、いたずら防止要素４５０と封止要素４４０との間に連動接続が形成される。しかし、いたずら防止要素と封止要素との間には、接着接続を提供する接着剤など、追加の接続を提供することもできる。
【０３２１】
図２５ｂは、いたずら防止要素４５０がストッパ４１０にどのように接続されるかを示す。この図に見られるように、システムが完全に組み立てられたとき、ストリップ４５２ａ、４５２ｂは、ストッパのヘッド部４１３の上面まで全体にわたって、ストッパ４１０のヘッド部４１３のノッチ４１３ａ、４１３ｂ上の側面に巻き付けられる。側面上のノッチにより、いたずら防止要素とストッパのヘッド部との間で径方向に追加の連動接続および摩擦接続が提供される。上面上で交わるストリップの端部は、ともに接合されて接着剤によって接着され、それによって軸方向にストッパのヘッド部との連動接続を形成する。当業者には理解されるように、ストリップの端部は、ともに接合されなくてもよく、したがってこれらの端部はまた、ストリップの長さに応じてストッパの側面または上面上へ接着させ、それによってストッパのヘッド部との接着接続を形成することもできる。
【０３２２】
別法として、ストリップはまた、単にヘッド部の上面上へ巻き付けてカバー４６０によって覆うことができ、次いでカバー４６０が上面上へ接着される。この場合、カバー４６０は、いたずら防止要素の一部となる。言い換えれば、いたずら防止要素は、２つ以上の要素を備えることができる。図２５ｃは、いたずら防止要素４５０およびカバー４６０を有する完全に組み立てられたシステムを示す。
【０３２３】
いたずら防止要素は、好ましくは、アルミニウムシートまたはスズ箔材料またはプラスチックなどの薄い材料から作られ、したがって、開けられたときに容易に破断するのに十分なほど柔軟であるが、輸送中に通常の摩耗および引き裂きに耐えるのに十分なほど堅い。
【０３２４】
図２５ｄに示すように、完全に組み立てられたシステムに接続されたいたずら防止要素は、ストッパが封止要素に対して回転すると破断する。こうして破断したいたずら防止要素は、ストッパが封止要素に対して移動しているかどうかを使用者が発見するのに役立ち、それによって封止されたボトルから閉鎖システムが開けられていることを意味する。
【０３２５】
ボトル詰め
本発明の第６の実施形態による閉鎖システムを使用してボトルが最初にどのように封止されるかについて、次に説明する。まず、封止要素の内側構成要素４３０が、外側構成要素４２０の封止部４２２内へ導入され、したがって内側構成要素は、少なくとも部分的に外側構成要素４２０内に位置する。次いで、組み合わせられた封止要素４４０は、封止要素４４０をストッパ上へねじ込むことによって、ストッパ４１０のストッパ部４１２上へ導入される。内側構成要素４３０の下端部は、図１９に見られるように、組立てグリップ４３４を備え、組立てグリップ４３４により、組立てユニットが封止要素４４０をストッパ上へ、好ましくは上まで全体にわたってねじ込むことが可能になる。この段階で、閉鎖システムは完全に組み立てられ、したがってストッパおよび封止要素は、封止位置の場合と同じ構成であるが、まだボトル詰めされていない。具体的には、完全に組み立てられた状態で、封止要素は広がっており、したがって、封止要素が組み立てられたストッパがボトル内へ押し込まれると、ストッパを回転させる必要なく、封止位置に到達する。さらに、完全に組み立てられた状態で、内側構成要素が導入されると外側構成要素は広がり、この引き伸ばされた状態で、ボトル詰めのために出荷される。こうしてシステムを事前に広げて引き伸ばすことで、引き伸ばされた構成要素にかかる応力はより小さくなるため、より容易なボトル詰めが可能になる。
【０３２６】
次いで、いたずら防止要素は、完全に組み立てられたシステムへ導入され、したがってシステムは、いたずら防止要素のリングを通過する。次いで、いたずら防止要素のストリップが前述のようにヘッド部に巻き付けられ、ヘッド部の上面上にカバーが配置される。
【０３２７】
次いで、ストッパ部４１２および封止要素４４０を有するとともにいたずら防止要素４５０が配置されて完全に組み立てられたシステムは、ボトルの口の中へ導入され、押圧されて封止位置に到達する。本発明による完全に組み立てられた閉鎖システムは、いかなる他の動作も実行する必要なく、ボトル詰めプロセス中にボトル内へ簡単に押圧することができるため、より速く簡単なボトル詰めが可能になる。
【０３２８】
好ましくは、まずストッパをボトルの口の中へ落下させ、次いでストッパを押し込むことによって、ストッパ部４１２は封止要素４４０とともにボトル内へ導入される。落下中、ストッパが確実に直立の長手方向の位置でボトルの口の中に着地するように、ストッパは、重力を受けると平衡状態になるように設計される。この平衡状態は、ストッパの他の部分と比較して最適の長さおよび直径を有することにより十分な体積および質量を有するように第２の部分４１５を設計し、ストッパを製造するために使用される材料を考慮することによって実現される。直径は、小さすぎたり大きすぎたりしないようにするべきである。第２の部分４１５は、封止要素が確実にストッパ上で保たれるように、第１の部分４１４と比較してより大きい直径を有するべきである。同時に、第２の部分４１５は、ボトル詰めプロセスを邪魔しないのに十分なほど、ボトルの口より小さい直径を有するべきである。さらに、完全に組み立てられたシステムは、システムをボトル内へ容易に導入することを可能にするように、全体的に円錐形の形状を有する。この結果は、内側構成要素４３０の下端部が先細りした端部を有することによって促進される。
【０３２９】
いたずら防止要素を有する完全に組み立てられた閉鎖システムは、単に押圧によってボトル詰めすることができ、封止位置を実現するのにストッパをボトルの口の中へ回転させる必要はないことに再び留意されたい。このシステムは、いかなる複雑なボトル詰め方法も必要としないため、複雑で高価なボトル詰め機械も必要ではなく、それによってボトル詰めの全体的なコストが低減される。
【０３３０】
いたずら防止要素は、封止要素とストッパとの間の接続のみを必要とするため、ストッパが封止要素に対して移動されているかどうかを判定するために、封止要素およびストッパを有するシステム上で使用することができる。したがって、当業者には想定できるように、本明細書に記載のいたずら防止要素は、ボトルの外側で組み立てることができるそのようなストッパおよび別個の封止要素を備える任意のシステム上で実施することができ、本発明に記載のストッパおよび封止要素に限定されるものではない。
【０３３１】
特殊な口を有するボトル／システム
本発明の別の実施形態では、本発明の閉鎖システムとともに使用するためのボトルが提供される。
【０３３２】
図２６ａは、本発明の一実施形態によるボトルの上面図を示す。ボトルの口の上面上に、突条または壁が形成される。この突条は円形であり、ボトルの口の上面の周りを進んでボトルの口の上面の周囲全体を覆う。すなわち、突条は、上面の全円形部分に沿って進み、開始位置に完全に戻ってくる。
【０３３３】
しかし、図２６ａに見ることができるように、突条は、複数の異なる位置に途切れ（中断部）を有することができる。本実施形態では、突条は、２つの位置で途切れて、突条の２つの実質上半円形の部分を形成し、これらの途切れは、ボトルの口の上面に突条または壁のない２つの領域を提供する。その目的については、後に説明する。
【０３３４】
突条は、実質上ボトルの口の内周から離れて配置される。図２６ａおよび図２６ｂに示す好ましい実施形態では、突条は、外側の末端上に配置され、したがってボトルの口の外側の外周は、ボトルの口の外側と同一平面になる。図２６ｃは、ボトルネックおよび突条が同一平面であることを示すボトルの側面図を示す。
【０３３５】
図２６ｂは、この実施形態によるボトルの角度を付けた側面図を示す。この図に見ることができるように、形成された突条は、実質上三角形の横断面を有する。しかし、当業者であれば、方形または他の横断面を有する壁の形の突条を導入することができる。突条の高さは、好ましくは１ｍｍであり、ボトルの口の内周から少なくとも１ｍｍ離れて隔置される。
【０３３６】
しかし、これらの寸法は、ボトルの口の形状および寸法ならびにボトルストッパの封止部の厚さに応じて変動することができ、それによって突条または壁の高さは、好ましくは、１ｍｍ〜２．５ｍｍのいずれかとすることができ、ボトルの口の内周からの突条の距離は、好ましくは、ボトルの口の厚さに応じて、１ｍｍから任意の距離である。
【０３３７】
上記のボトルは、ストッパ部およびストッパ部の直径より大きい直径を有するヘッド部を有するストッパと、口の頂面（すなわち、上面）に対してストッパのヘッド部を封止するように適合された部分を備える封止要素とを有する任意の閉鎖システムと組み合わせると有利である。ストッパのストッパ部は、ボトルの口の中へ導入され、ストッパのヘッド部は、ボトルの外側に残る。図８、図１８ａ、および図１８ｂに関して上述したそのような閉鎖システムの好ましい実施形態の場合、封止要素のうち、ストッパのヘッド部を頂部に対して封止するように適合される部分を、封止要素の「上部」（４１、４２１）と呼ぶ。当業者には理解されるように、上記のボトルは、上記の閉鎖システムだけではなく、そのような任意の閉鎖システムで使用することができ、ストッパ部は、封止要素の相手側連動機構に係合する連動機構を備え、連動機構は、ボトルに対してストッパを回転させることを含む開封動作によって封止要素を開封位置へ動かすことを可能にするように構成される。たとえば、ボトルは、有利には、欧州特許第１４５６０９２号に記載の従来技術のストッパと組み合わせて使用することができる。
【０３３８】
そのような閉鎖システムでは、封止要素のうちストッパのヘッド部を頂部に対して封止するように適合された部分の厚さのため、ストッパのヘッド部とボトルの口との間に間隙が形成されることがある。これにより、ストッパのヘッド部とボトルの口との間に形成された間隙を通じて封止要素上に塵または汚れが蓄積するなどの問題が生じることがあり、健康に関連する問題を招くこともある。この間隙はまた、顧客にとって審美的に不快になることもある。これらの問題を克服するために、前述のボトルは、その口の上面の周囲に沿って形成された突条を備え、したがって突条は、ボトルとストッパとの間の間隙を少なくとも部分的に覆う。
【０３３９】
封止要素のうち、ストッパのヘッド部を頂部に対して封止するように適合された部分が確実に突条内にうまく収容されるように、突条の内径は、封止要素のうち、ストッパのヘッド部を頂部に対して封止するように適合された部分の外径より大きくするべきである。
【０３４０】
好ましくは、突条の高さは、封止要素のうち、ストッパのヘッド部を頂部に対して封止するように適合された部分の厚さより小さく、したがってヘッド部は、ボトルに直接接触しない。実際には、突条の高さは、ボトル詰めするとき、ストッパがボトル内へ強制的に押し込まれても、突条がストッパのヘッド部との接触によって損傷されないように選択されるべきである。
【０３４１】
突条は、上記のいたずら防止要素のストリップの配置を可能にする途切れ（すなわち、中断部または切断部）を形成するように、１つまたは複数の位置で途切れるようにすることができる。
【０３４２】
突条上の途切れの数、幅、および位置は、その位置および幅でストリップの数を収容することができるようにするべきである。好ましい実施形態では、突条は、対角線上で対向する側に２つのストリップを有するいたずら防止要素を収容するために、対角線上で対向する側で２つの途切れを有する。図２４ｂ、図２４ｃ、図２４ｄ、および図２４ｅに示すいたずら防止要素を有する閉鎖システムの場合、突条は、いたずら防止要素上にストリップを収容するために、それぞれ１つ、３つ、４つ、または５つの途切れを互いから等距離に（３つ、４つ、または５つの場合）備える。
【０３４３】
いたずら防止要素のストリップが突条の途切れ内に配置されたとき、突条はまた、いたずら防止要素のストリップに対して軸方向の連動機構として作用する。したがって、ストッパが軸方向に回転し、ストッパに接続されたいたずら防止要素を回転させたとき、突条との連動によってストリップは破断する。
【０３４４】
さらに、ボトルとストッパのヘッドの下面との間の空間を低減させるボトルの口の上の突条により、封止要素および／またはいたずら防止要素を損傷することなくボトルからストッパを抜き出そうとして工具、たとえばナイフを挿入することがより困難になる。言い換えれば、突条により、他者に気付かれることなくボトルを開けることに対する余分の保護が提供される。これにより、消費者ならびにワイン生産者にとって快適さが提供される。それは、特により高級なワインの場合、オリジナルのワインが消費された後、より高級なワインのラベルを有するボトル内により安価なワインが充填され、ボトルを開けるときに注意深く取り外されたオリジナルのボトルの閉鎖によってこのボトルが再び閉じられることは、珍しくないからである。
【０３４５】
したがって、この実施形態では、突条により、いたずらに対する保護を改善する追加の利点が提供される。
【０３４６】
本発明の異なる実施形態による封止要素
本発明の別の実施形態は、欧州特許第１４５６０９２号に開示されているものなど、従来技術から知られている封止要素と比較すると、大いに改善された封止特性を有する封止要素を提供する。本発明のそのような一実施形態による封止要素は、封止位置でボトルの口の内壁に対してストッパのストッパ部を封止する封止部を備える。好ましくは、封止要素はまた、ボトルの口の中の封止位置でボトルの口に対してストッパのヘッド部を封止する上部を備える。封止部の外側部分上に、隣接リブが形成される。これらのリブは、好ましくは、第２の部分と第１の部分との間の接合部の隣に位置する。２つの隣接リブは、ストッパのストッパ部を封止位置へ導入するときにボトルの口の内壁に押圧されるように適合される。これらの隣接リブは、図８および図９または図１８に関して記載したものと同一のものとすることができる。本発明のこの実施形態による封止要素が、欧州特許第１４５６０９２号に開示されているものなどの従来技術によるストッパ上に設けられるとき、従来技術によるストッパと組み合わせて使用される従来の封止要素を用いた場合よりしっかりとした確実な封止を実現することができる。
【図１】
0006446359.tif 000002
【図２】
0006446359.tif 000003
【図３】
0006446359.tif 000004
【図４】
0006446359.tif 000005
【図５】
0006446359.tif 000006
【図６】
0006446359.tif 000007
【図７】
0006446359.tif 000008
【図８】
0006446359.tif 000009
【図９】
0006446359.tif 000010
【図１０】
0006446359.tif 000011
【図１１】
0006446359.tif 000012
【図１２】
0006446359.tif 000013
【図１３】
0006446359.tif 000014
【図１４】
0006446359.tif 000015
【図１５】
0006446359.tif 000016
【図１６】
0006446359.tif 000017
【図１７ａ】
0006446359.tif 000018
【図１７ｂ】
0006446359.tif 000019
【図１８ａ】
0006446359.tif 000020
【図１８ｂ】
0006446359.tif 000021
【図１９ａ】
0006446359.tif 000022
【図１９ｂ】
0006446359.tif 000023
【図２０】
0006446359.tif 000024
【図２１】
0006446359.tif 000025
【図２２】
0006446359.tif 000026
【図２３】
0006446359.tif 000027
【図２４ａ】
0006446359.tif 000028
【図２４ｂ】
0006446359.tif 000029
【図２４ｃ】
0006446359.tif 000030
【図２４ｄ】
0006446359.tif 000031
【図２４ｅ】
0006446359.tif 000032
【図２５ａ】
0006446359.tif 000033
【図２５ｂ】
0006446359.tif 000034
【図２５ｃ】
0006446359.tif 000035
【図２５ｄ】
0006446359.tif 000036
【図２６ａ】
0006446359.tif 000037
【図２６ｂ】
0006446359.tif 000038
【図２６ｃ】
0006446359.tif 000039